(57)【要約】【課題】全長にわたり均一で、明るく、まぶしくない管状蛍光ランプ形の発光ダイオードランプ（蛍光チューブを備えたＬＥＤランプ）の提供。【解決手段】線状（管状）ＬＥＤランプ６００は、ａ）長い透光性チューブ２０Ｔとチューブ２０Ｔの内面に設けられ蛍光体を含み蛍光体の表面積又は容積を拡大した複数の蛍光ファイバ３５、３６（蛍光面積・容積拡大要素）からなる長い蛍光チューブと、ｂ）蛍光チューブの空洞に収容され、複数の短波長形ＬＥＤからなる長いＬＥＤアレイ１０Ａを備える。発光ユニットＬＵ−１０はＬＥＤアレイ１０Ａとそれらを固定する高熱伝導性中空支柱５２０からなる。蛍光チューブはＬＥＤから放射される短波長光線を部分的、全面的に受光して可視光線を放射し可視光線又は一部の短波長光線と可視光線を出射させて照明光線とする。青色ＬＥＤと黄色蛍光体又は近紫外ＬＥＤとＢＧＲ蛍光体の使用により白色照明光線が得られる。【選択図】図１
2011108424.tif 000002
【特許請求の範囲】
【請求項１】
（ａ）長尺内部空洞を有し、全面的または部分的に透光性を有する長尺な管状部材からなる長尺透光性チューブと、（ｂ）前記長尺透光性チューブの内面に配置され、蛍光体を含み前記蛍光体の表面積または容積を実質的に拡大する複数の蛍光面積・容積拡大要素からなる、長尺蛍光チューブと、
前記長尺蛍光チューブの前記長尺内部空洞に収容され、短波長一次光線を放射する複数の短波長形発光ダイオード（ＬＥＤ）素子が配置された少なくとも一つの長尺ＬＥＤアレイを備え、
前記蛍光面積・容積拡大要素が、蛍光突起、蛍光ファイバ、複数の蛍光体を含有する蛍光体含有素子、蛍光溝、蛍光織布および蛍光不織布からなる群から選択された一つまたは複数の組み合わせからなり、
前記蛍光面積・容積拡大要素は、前記ＬＥＤ素子から放射される短波長一次光線を部分的またはほぼ全面的に受光して可視二次光線を放射し、
前記長尺蛍光チューブから、前記可視二次光線または前記可視二次光線と一部の前記短波長一次光線を出射させて照明光線とする、蛍光チューブを備えたＬＥＤランプ。
【請求項２】
前記長尺透光性チューブが全面的に透光性を有する全面透光性チューブからなる、長尺蛍光チューブを備えた、請求項１に記載した、蛍光チューブを備えたＬＥＤランプ。
【請求項３】
前記長尺透光性チューブが、前記長尺内部空洞を有するように、透光性長尺部材と非透光性長尺ハウジングを結合し、部分的に透光性を有する部分透光性チューブからなる、長尺蛍光チューブを備え、前記長尺ＬＥＤアレイを前記非透光性長尺ハウジングの前記長尺内部空洞の面に配置した、請求項１に記載した、蛍光チューブを備えたＬＥＤランプ。
【請求項４】
前記長尺透光性チューブが、円形、半円形、楕円形または三角形を含む多角形の断面形状を有し、および、または、直線状、曲線状または環状の外観形状を有する、請求項１に記載した、蛍光チューブを備えたＬＥＤランプ。
【請求項５】
更に蛍光体を含有する蛍光性結合材層を設け、前記蛍光性結合材層は前記長尺透光性チューブの内面に部分的または全面的に配置され、前記蛍光性結合材層に前記蛍光突起、前記蛍光ファイバ、前記蛍光体含有素子、および、または前記蛍光織布および蛍光不織布が配置された、請求項１に記載した、蛍光チューブを備えたＬＥＤランプ。
【請求項６】
前記ＬＥＤ素子が青色形ＬＥＤ素子であり、前記蛍光体が前記青色形ＬＥＤ素子から放射される青色一次光線を黄色二次光線に波長変換する黄色蛍光体からなり、前記黄色二次光線と一部の青色一次光線が合成した白色光線とする、請求項１に記載した、蛍光チューブを備えたＬＥＤランプ。
【請求項７】
前記ＬＥＤ素子が紫外または紫色形ＬＥＤ素子であり、前記蛍光体が前記紫外または紫色形ＬＥＤ素子から放射される紫外または紫色一次光線を三原色可視二次光線に波長変換する三原色蛍光体からなり、前記三原色可視二次光線が合成した白色光線とする、請求項１に記載した、蛍光チューブを備えたＬＥＤランプ。
【請求項８】
前記蛍光突起が透光性突起の内部または表面に前記蛍光体を含み、前記蛍光性突起が、円錐台、三角錐台および四角錐台からなる錐台形、円錐、三角錐、四角錐からなる円柱、三角柱、四角柱および六角柱からなる柱形、半球、上部がほぼ半球の円柱、直線状壁部材直線状および波形状壁部材からなる群から選択された形状を有する、請求項１に記載した、蛍光チューブを備えたＬＥＤランプ。
【請求項９】
前記蛍光ファイバが、（ａ）コア（芯）からなる光ファイバと、前記コアに含有された複数の蛍光体粒子からなる前記蛍光体を備えたコア単独構造の蛍光体担持光ファイバからなるか、または（ｂ）コア（芯）とクラッド（被覆）からなる光ファイバと、前記クラッドに含有された複数の蛍光体粒子からなる前記蛍光体を備えたコア−クラッド複合構造の蛍光体担持光ファイバからなる、請求項１に記載した、蛍光チューブを備えたＬＥＤランプ。
【請求項１０】
前記蛍光ファイバが、（ａ）コア（芯）からなる光ファイバと、前記コアに含有された複数の蛍光体粒子からなる前記蛍光体を備えたコア単独構造の蛍光体担持光ファイバからなるか、または（ｂ）コア（芯）とクラッド（被覆）からなる光ファイバと、前記クラッドに含有された複数の蛍光体粒子からなる前記蛍光体を備えたコア−クラッド複合構造の蛍光体担持光ファイバからなり、前記チューブの内面に立設、ランダムまたは水平に配置された、請求項１に記載した、蛍光チューブを備えたＬＥＤランプ。
【請求項１１】
前記蛍光体含有素子が、粒度が同じまたは異なる複数の蛍光体粒子を光透過性芯（コア）の内部に配置または表面に配置したものである、請求項１に記載した、蛍光チューブを備えたＬＥＤランプ。
【請求項１２】
前記蛍光溝が、透光性溝の内部または表面に前記蛍光体を含み、前記蛍光性溝が、円錐台、三角錐台および四角錐台からなる錐台形、円錐、三角錐、四角錐からなる円柱、三角柱、四角柱および六角柱からなる柱形、半球、上部がほぼ半球の円柱、直線状壁部材直線状および波形状壁部材からなる群から選択された形状、または逆の形状を有する、請求項１に記載した、蛍光チューブを備えたＬＥＤランプ。
【請求項１３】
前記蛍光織布または蛍光不織布が、（ａ）コア（芯）からなる光ファイバと、前記コアに含有された複数の蛍光体粒子からなる前記蛍光体を備えたコア単独構造の蛍光体担持光ファイバからなるか、または（ｂ）コア（芯）とクラッド（被覆）からなる光ファイバと、前記クラッドに含有された複数の蛍光体粒子からなる前記蛍光体を備えたコア−クラッド複合構造の蛍光体担持光ファイバを素材とした織布または不織布である、請求項１に記載した、蛍光チューブを備えたＬＥＤランプ。
【請求項１４】
更に、長尺な長尺多角形支柱を設け、前記長尺多角形支柱はその外面に前記長尺ＬＥＤアレイを配置し、前記長尺蛍光チューブの空洞内に前記蛍光チューブの内面と所定間隔を隔て保持された請求項１に記載した、蛍光チューブを備えたＬＥＤランプ。
【請求項１５】
複数の前記長尺ＬＥＤアレイが、前記長尺多角形支柱の複数の長尺な外面に沿って配置され固定された、請求項１に記載した、蛍光チューブを備えたＬＥＤランプ。
【請求項１６】
前記長尺多角形支柱は、少なくとも外面を絶縁性とし、前記外面に給電配線を設けたものであり、前記ＬＥＤ素子が前記外面に実装された、請求項１に記載した、蛍光チューブを備えたＬＥＤランプ。
【請求項１７】
複数の前記長尺ＬＥＤアレイが、その一端辺が前記長尺多角形支柱の側面に固定され、その他端辺が前記長尺蛍光チューブの内面に向かって延長された、請求項１に記載した、蛍光チューブを備えたＬＥＤランプ。
【請求項１８】
前記長尺ＬＥＤアレイが、前記長尺多角形支柱を用いることなく、前記蛍光チューブの長尺な内部空洞の長さ方向に螺旋状に延長して配置され、それ自体で螺旋状の形体を保持した、請求項１に記載した、蛍光チューブを備えたＬＥＤランプ。
【請求項１９】
前記長尺ＬＥＤアレイが、長尺フレキシブル基板の前面および、または裏面に複数の前記ＬＥＤ素子を実装したものであり、支柱を用いることなく、前記長尺ＬＥＤアレイを折り曲げて前記蛍光チューブの長尺な内部空洞の長さ方向に螺旋状に延長して配置され、それ自体で螺旋状の形体を保持した、請求項１に記載した、蛍光チューブを備えたＬＥＤランプ。
【請求項２０】
前記長尺ＬＥＤアレイが、前記長尺多角形支柱の前記外面に沿って螺旋状に巻き付けて配置され固定された、請求項１に記載した、蛍光チューブを備えたＬＥＤランプ。
【請求項２１】
前記長尺ＬＥＤアレイが、前記長尺多角形支柱の替わりに、複数の長尺線状体を仮想の輪郭線が多角形になるように束ねた骨組形支柱を用い、前記骨組形支柱の骨組に沿って螺旋状に巻き付けて配置され固定された、請求項１に記載した、蛍光チューブを備えたＬＥＤランプ。
【請求項２２】
前記長尺ＬＥＤアレイが、長尺フレキシブル基板の前面および、または裏面に複数の前記ＬＥＤ素子を実装したものであり、
前記長尺多角形支柱の替わりに、複数の長尺線状体を仮想の輪郭線が多角形になるように束ねた骨組形支柱を用い、前記骨組形支柱の骨組に沿って螺旋状に巻き付けて配置され固定された、請求項１に記載した、蛍光チューブを備えたＬＥＤランプ。
【請求項２３】
更に広角レンズまたは部分反射リフレクタを前記ＬＥＤ素子の光出射面と対応して設け、前記広角レンズまたは前記部分反射リフレクタにより、前記ＬＥＤ素子からの出射光の角度を拡大した、請求項１に記載した、蛍光チューブを備えたＬＥＤランプ。
【請求項２４】
更に広角レンズまたは部分反射リフレクタを前記ＬＥＤ素子の光出射面と対応して設け、前記広角レンズまたは前記部分反射リフレクタにより、前記ＬＥＤ素子からの出射光の角度を拡大し、前記広角レンズまたは前記部分反射リフレクタがＶ字形または逆円錐形の断面形状を有する、請求項１に記載した、蛍光チューブを備えたＬＥＤランプ。
【請求項２５】
更に広角レンズまたは部分反射リフレクタを前記ＬＥＤ素子の光出射面と対応して設け、前記広角レンズまたは前記部分反射リフレクタにより、前記ＬＥＤ素子からの出射光の角度を拡大し、前記広角レンズまたは前記部分反射リフレクタが複数の前記ＬＥＤ素子と対応する長尺な共通なレンズまたは部分反射リフレクタである、請求項１に記載した、蛍光チューブを備えたＬＥＤランプ。
【請求項２６】
前記チューブは少なくとも一方の端末に設けた開口を塞ぐ、給電端子を有するキャップ状部からなる口金を備えた、請求項１に記載した、蛍光チューブを備えたＬＥＤランプ。
【請求項２７】
更に、一対の端末を連通する空洞を備えた、高い熱伝導性を有する長尺多角形支柱を設け、前記多角形支柱はその外面に前記ＬＥＤアレイを配置し、前記ＬＥＤ素子からの発熱を前記空洞側の内面に伝達し、前記空洞内に放熱する、請求項１に記載した、蛍光チューブを備えたＬＥＤランプ。
【請求項２８】
更に、前記長尺ＬＥＤアレイまたは前記長尺ＬＥＤアレイを配置した支柱を前記長尺蛍光チューブの内面と所定間隔を隔て保持する複数のスペーサーを設けた、請求項１に記載した、蛍光チューブを備えたＬＥＤランプ。
【請求項２９】
前記長尺蛍光チューブは少なくとも一方の端末に設けた開口を塞ぐ、キャップ状部材を備え、前記キャップ状部材に通風孔または放熱フィンを設けた、請求項１に記載した、蛍光チューブを備えたＬＥＤランプ。
【請求項３０】
前記長尺透光性チューブが、前記長尺内部空洞を有するように、透光性長尺部材と非透光性長尺ハウジングを結合し、部分的に透光性を有する部分透光性チューブからなり、高い熱伝導性材料を有する前記非透光性長尺ハウジングの前面に前記長尺ＬＥＤアレイを熱伝導接触して配置し、前記ハウジングの裏面にヒートシンクを配置した、請求項１に記載した、蛍光チューブを備えたＬＥＤランプ。
【請求項３１】
前記長尺蛍光チューブは少なくとも一方の端末に設けた開口を塞ぐ、給電端子を有するキャップ状部からなる口金を備え、前記口金の空洞近辺に前記ＬＥＤ素子を点灯する点灯回路を内蔵した、請求項１に記載した、蛍光チューブを備えたＬＥＤランプ。
【請求項３２】
紫外線を吸収または反射する紫外線遮蔽手段を、前記長尺蛍光チューブに設けた、請求項１に記載した、蛍光チューブを備えたＬＥＤランプ。
【請求項３３】
紫外線を吸収または反射する紫外線遮蔽手段を、前記長尺蛍光チューブに設け、前記紫外線遮蔽手段が紫外線を吸収し可視光線を透過する光触媒膜または紫外線を反射し可視光線を透過するダイクロイック・ミラーからなる、請求項１に記載した、蛍光チューブを備えたＬＥＤランプ。
【請求項３４】
複数の前記ＬＥＤ素子を実装したフレキシブル回路基板からなる前記長尺ＬＥＤアレイを折り曲げて多角形支柱の多角形表面に配置して、固定した、請求項１に記載した、蛍光チューブを備えたＬＥＤランプ。
【請求項３５】
前記長尺ＬＥＤアレイが、螺旋状に変形させた帯状のフレキシブル基板に複数の前記ＬＥＤ素子を実装し、前記フレキシブル基板の表面に形成した高い熱伝導率を有する硬化性樹脂層を備え、前記前記ＬＥＤアレイが前記硬化性樹脂層の硬化によって螺旋状の形状を保持した、請求項１に記載した、蛍光チューブを備えたＬＥＤランプ。
【請求項３６】
請求項１ないし３５のいずれかに記載した蛍光チューブを備えたＬＥＤランプと、前記ＬＥＤランプの内部に配置した前記ＬＥＤ素子を点灯する点灯回路からなるＬＥＤランプ。
【請求項３７】
請求項１ないし３５のいずれかに記載した蛍光チューブを備えたＬＥＤランプ
と、前記ＬＥＤランプの外部に配置した前記ＬＥＤ素子を点灯する点灯回路からなる照明装置。
【発明の詳細な説明】
【技術分野】
【０００１】
この発明は蛍光チューブを備えた発光ダイオード（ＬＥＤ）ランプに関する。
【０００２】
この発明は管状蛍光ランプ形の管状ＬＥＤランプに関する。
【０００３】
この発明は、一般照明用、液晶ディスプレイのバックライト用、乗り物用など広い分野で用いられる直線形（直管状）、円形（環管状）など曲線形などの外観を有する長尺管状蛍光ランプの替わりに使用でき、これより低消費電力、長寿命であり、また環境負荷を与えない長尺ＬＥＤランプに関する。
【背景技術】
【０００４】
低消費電力、長寿命を目的として、直線形（直管状）、円形（環状）など曲線形などの外観を有する蛍光ランプが一般照明用、液晶ディスプレイのバックライト用、鉄道、自動車、航空機などの乗り物用など広い分野における照明用途に長年にわたり使用され続けている。
【０００５】
この蛍光ランプは水銀を封入しているために、環境、人体に悪影響を与える水銀を使用せず、同一な照度（光束、輝度、明るさ）の蛍光ランプよりも更に消費電力が低く、より長寿命な発光ダイオード（ＬＥＤ、ＬＥＤ素子）を用いたＬＥＤランプが近年注目されてきた。
【０００６】
例えば、直管状ＬＥＤランプなどの長尺な管状ＬＥＤランプは、透明なチューブ内に複数のＬＥＤ素子を長尺な基板に所定間隔を離して実装した長尺なＬＥＤアレイ、モジュールを直管状チューブ内に収容したものである。
【０００７】
しかしながら、直管状ＬＥＤランプは点光源であるＬＥＤ素子が小発光面から高輝度の狭い指向性を有する点状光線を放射するために、また複数のＬＥＤ素子が点在しているので、隣接する部分との輝度差が大きく、直管の全長にわたり均一な輝度、配光を得ることが困難である。これらの高輝度部、輝度差部のある照明、被照射領域が視野に入ると、人は眩しさなどの不快感（グレア（ｇｌａｒｅ））を受けてストレスとなる。
【０００８】
＜先行技術１＞
【０００９】
特許文献１である特開２００２−１３３９１０号公開公報「蛍光体照明管」には、内面に蛍光体塗布層を設け透明管（チューブ）に、複数の紫外線発光素子（ＬＥＤ）を基板に実装した紫外線ＬＥＤ基板を挿入し、蛍光体塗布層に紫外線発光素子から紫外線を照射して発光させる蛍光体照明管が開示され、紫外線ＬＥＤを点灯するための点灯回路は蛍光体照明管の外部に配置されている。
【００１０】
この公開公報において、請求項１、図１、図３には、「透明な管状部を有する本体に紫外線の照射によって発光する無機または有機材料の１以上からなる蛍光材料を含む蛍光体を内面または外面に塗布した蛍光管状体と、上記蛍光管状体の内部に挿入された複数の紫外線発光素子を基板上に配置した紫外線発光ダイオード基板と、上記紫外線発光ダイオード基板を上記蛍光管状体の内部に支持する支持手段と、上記複数の紫外線発光素子に電力を供給するリード線とを具備する蛍光体照明管」が記載されている。
【００１１】
また例えば請求項２、図１、図３には、「紫外線の照射によって発光する無機または有機材料の１以上からなる蛍光材料を含む透明な合成樹脂材料を管状に加工した蛍光管状体と、上記蛍光管状体の内部に挿入された複数の紫外線発光素子を基板上に配置した紫外線発光ダイオード基板と、上記紫外線発光ダイオード基板を上記蛍光管状体の内部に支持する支持手段と、上記複数の紫外線発光素子に電力を供給するリード線とを具備する蛍光体照明管」が開示されている。
【００１２】
またその明細書、図１、図３には、蛍光体照明管においては、蛍光管状体の内部に挿入された紫外線ＬＥＤ基板上の複数の紫外線発光素子にリード線から電力を供給することによって、複数の紫外線発光素子から紫外線が照射される。照射された紫外線が蛍光管状体に塗布された蛍光体に当たると、蛍光体が独自の蛍光色で発光する。これによって、蛍光管状体全体が発光して周囲を照らし、照明として使用することができることが記載されている。
【００１３】
またその明細書には、このような蛍光体照明管は、透明な管状部を有する本体に蛍光体を塗布してその内部に紫外線ＬＥＤ基板を挿入するだけで製造することができるから、従来の蛍光灯のような脱気・密封処理や複雑な点灯回路の取付けが不要であり、極めて容易に製作することができる。また、紫外線発光素子の寿命は長いので長期間交換の必要がなく、従来の蛍光灯と違って半永久的に使用することができると、その利点が記載されている。
【００１４】
＜先行技術２＞
【００１５】
特許文献２である特開２００７−１１５５９５「照明装置」には、部分的にまたは全面的に透明な透明管（透明チューブ）からなる透明ケース内に複数の可視光発光ダイオード（可視光ＬＥＤ）を基板に実装したＬＥＤアレイを収納し、更に透明ケースに可視光ＬＥＤを点灯する点灯回路を内蔵した照明装置が開示されている。
【００１６】
この公開公報「照明装置」において、例えば請求項１には、発光ダイオード（可視光ＬＥＤ）と、可視光ＬＥＤを収容するための透光ケースと、外部電力を透光ケースの内部に導入するための電極部（通常の蛍光ランプの給電端子付き口金に相当）と、該電極部から導入された電流電圧を変換して上記発光ダイオードへ供給する内部電源（上記点灯回路に相当）とを備える照明装置が記載されている。
【００１７】
またその明細書の段落００１３には、「上記透光ケースが円筒状（直管状）に形成され、上記電極部が透光ケースの両端に設けられることも好ましい。これにより、本発明の照明装置を直管蛍光ランプの代替品として用いることが可能になる。」と記載されている。
【先行技術文献】
【特許文献】
【００１８】
【特許文献１】特開２００２−１３３９１０号公開公報
【特許文献２】特開２００６−１５６１８７公開公報
【発明の概要】
【発明が解決しようとする課題】
【００１９】
上記の先行技術１の「蛍光体照明管」においては、請求項１、請求項２、明細書全文に記載されているように、蛍光材料を含む蛍光体の配置個所は、透明な管状部を有する本体（透明な管、チューブ）の１）内面（図３（ａ）に図示）、２）外面（図示無し）または３）内部（図３（ｂ）に図示）である。
【００２０】
そして上記１）の透明な管、チューブの通常平滑な内面に蛍光材料を含む蛍光体の塗布層（蛍光体層）を形成する場合には、蛍光体層を塗布できる表面積は、当然、上記内面の表面積以内に限定され、蛍光体層が紫外線発光素子（紫外線ＬＥＤ）から放射される紫外線（一次励起光線）を吸収し、一次励起光線を波長変換して二次可視光線を放射する輝度も制限される。
【００２１】
上記２）の透明な管、チューブの外面に蛍光材料を含む蛍光体の塗布層（蛍光体層）を形成する場合には、前述の蛍光体層を塗布できる表面積が限定される他に、紫外線（一次励起光線）が管、チューブを透過するために、その途中で紫外線（一次励起光線）が管、チューブに吸収され、外面の蛍光体層まで到達する紫外線量が減衰し、またエネルギー強度が高い短波長の紫外線の短時間の照射により、アクリル樹脂、メタクリル樹脂、ポリカーボネート樹脂等の通常の透明樹脂からなる管、チューブを使用すると通常の透明樹脂が変色、劣化してしまい、光束維持率が低く、出射する二次可視光線の輝度が時間の経過にしたがって低下して、ＬＥＤランプを使用する主要な利点の一つとされている長期間の使用ができない。
【００２２】
上記３）の透明な管、チューブの内部に蛍光材料を含む蛍光体の多数の粒子を混入する場合は、前述と同様に通常の透明樹脂からなる管、チューブを使用すると通常の透明樹脂が変色、劣化してしまい、光束維持率が低く、出射する二次可視光線の輝度が時間の経過にしたがって低下して、ＬＥＤランプを使用する主要な利点の一つとされている長期間の使用ができない。
【００２３】
上記の先行技術２の「照明装置」において、直管蛍光ランプと外観、寸法が類似の上記の円筒状（直管状）ＬＥＤランプは、点光源であるＬＥＤ素子が狭い指向性の光線を放射するために、また複数のＬＥＤ素子が点在しているので、直管蛍光ランプと異なり、直管の全長にわたり均一な輝度、配光を得ることが困難であり、また人間が直視した時に受けるまぶしさ（グレア（ｇｌａｒｅ））が不快感を与える。
【課題を解決するための手段】
【００２４】
この発明は、上記先行技術の問題点を解決することを主な目的とする。
【００２５】
この発明の一態様の蛍光チューブを備えたＬＥＤランプは、（ａ）長尺内部空洞を有し、全面的または部分的に透光性を有する長尺な管状部材からなる長尺透光性チューブと、（ｂ）上記長尺透光性チューブの内面に配置され、蛍光体を含み上記蛍光体の表面積または容積を実質的に拡大する複数の蛍光面積・容積拡大要素からなる、長尺蛍光チューブと、上記長尺蛍光チューブの上記長尺内部空洞に収容され、短波長一次光線を放射する複数の短波長形発光ダイオード（ＬＥＤ）素子が配置された少なくとも一つの長尺ＬＥＤアレイを備える。そして上記蛍光面積・容積拡大要素は、蛍光突起、蛍光ファイバ、複数の蛍光体を含有する蛍光体含有素子、蛍光溝、蛍光織布および蛍光不織布からなる群から選択された一つまたは複数の組み合わせからなる。
【００２６】
上記蛍光面積・容積拡大要素は、上記ＬＥＤ素子から放射される短波長一次光線を部分的またはほぼ全面的に受光して可視二次光線を放射し、上記長尺蛍光チューブから、上記可視二次光線または上記可視二次光線と一部の上記短波長一次光線は出射させて照明光線とする。
【００２７】
上記ＬＥＤ素子として紫色または近紫外線からなる一次光線を放射する紫色、近紫外発光形ＬＥＤ素子を用い、上記蛍光体としてほぼ全ての紫色または近紫外線からなる一次光線を吸収し波長変換して三原色（Ｂ、ＧおよびＲ）の可視二次光線を放射する三原色蛍光体を用いる場合には、三原色二次光線が合成された白色照明光線が上記蛍光チューブから出射される。
【００２８】
上記ＬＥＤ素子として青色一次光線を放射する青色発光形ＬＥＤ素子を用い、上記蛍光体として一部の青色一次光線を吸収し波長変換して黄色二次光線を放射する黄色蛍光体を用いる場合には、黄色二次光線と黄色蛍光体を透過した残りの青色一次光線とが合成された白色照明光線が上記蛍光チューブから出射される。
【００２９】
上記蛍光チューブを備えたＬＥＤランプであって、上記長尺透光性チューブが全面的に透光性を有する全面透光性チューブからなることができる。
【００３０】
上記蛍光チューブを備えたＬＥＤランプであって、上記長尺透光性チューブが、上記内部空洞を有するように、透光性長尺部材と非透光性長尺ハウジングを結合し、部分的に透光性を有する部分透光性チューブからなり、上記長尺ＬＥＤアレイを上記非透光性長尺ハウジングの前面に配置することができる。
【００３１】
上記蛍光チューブを備えたＬＥＤランプであって、上記長尺透光性チューブが、円形、半円形、楕円形または四角形を含む多角形の断面形状を有し、および、または、直線状、曲線状または環状の外観形状を有することができる。
【００３２】
上記蛍光チューブを備えたＬＥＤランプであって、更に蛍光体を含有する蛍光性結合材層を設け、前記蛍光性結合材層は前記長尺透光性チューブの内面に部分的または全面的に配置され、前記蛍光性結合材層に前記蛍光突起、前記蛍光ファイバ、前記蛍光体含有素子、および、または前記蛍光織布および蛍光不織布を配置することができる。
【００３３】
上記蛍光チューブを備えたＬＥＤランプであって、上記ＬＥＤ素子が青色形ＬＥＤ素子であり、上記蛍光体が上記青色形ＬＥＤ素子から放射される青色一次光線を黄色二次光線に波長変換する黄色蛍光体からなり、上記黄色二次光線と一部の青色一次光線が合成した白色光線とすることができる。
【００３４】
上記蛍光チューブを備えたＬＥＤランプであって、上記ＬＥＤ素子が紫外または紫色形ＬＥＤ素子であり、上記蛍光体が上記紫外または紫色形ＬＥＤ素子から放射される紫外または紫色一次光線を三原色可視二次光線に波長変換する三原色蛍光体からなり、上記三原色可視二次光線が合成した白色光線とすることができる。
【００３５】
上記蛍光チューブを備えたＬＥＤランプであって、上記蛍光突起が透光性突起の内部または表面に前記蛍光体を含み、前記蛍光性突起が、円錐台、三角錐台および四角錐台からなる錐台形、円錐、三角錐、四角錐からなる錐形、三角柱、四角柱および六角柱からなる柱形、半球、上部がほぼ半球の円柱、直線状壁部材および波形状壁部材からなる群から選択された形状を有することができる。
【００３６】
上記蛍光チューブを備えたＬＥＤランプであって、上記蛍光ファイバが、（ａ）コア（芯）からなる光ファイバと、上記コアに含有された複数の蛍光体粒子からなる上記蛍光体を備えたコア単独構造の蛍光体担持光ファイバからなるか、または（ｂ）コア（芯）とクラッド（被覆）からなる光ファイバと、上記クラッドに含有された複数の蛍光体粒子からなる上記蛍光体を備えたコア−クラッド複合構造の蛍光体担持光ファイバからなることができる。
【００３７】
上記蛍光チューブを備えたＬＥＤランプであって、上記蛍光ファイバが、（ａ）コア（芯）からなる光ファイバと、上記コアに含有された複数の蛍光体粒子からなる上記蛍光体を備えたコア単独構造の蛍光体担持光ファイバからなるか、または（ｂ）コア（芯）とクラッド（被覆）からなる光ファイバと、上記クラッドに含有された複数の蛍光体粒子からなる上記蛍光体を備えたコア−クラッド複合構造の蛍光体担持光ファイバからなり、上記チューブの内面に立設、ランダムまたは水平に配置されることができる。
【００３８】
上記蛍光チューブを備えたＬＥＤランプであって、上記蛍光体含有素子が、粒度が同じまたは異なる複数の蛍光体粒子を光透過性芯（コア）の内部に配置または表面に配置したものであることができる。
【００３９】
上記蛍光チューブを備えたＬＥＤランプであって、上記蛍光溝が、前記蛍光溝が、透光性溝の内部または表面に前記蛍光体を含み、前記蛍光性溝が、円錐台、三角錐台および四角錐台からなる錐台形、円錐、三角錐、四角錐からなる錐形、円柱、三角柱、四角柱および六角柱からなる柱形、半球、上部がほぼ半球の円柱、直線状壁部材および波形状壁部材からなる群から選択された形状、または逆の形状を有することができる。
【００４０】
上記蛍光チューブを備えたＬＥＤランプであって、上記蛍光織布または蛍光不織布が、（ａ）コア（芯）からなる光ファイバと、上記コアに含有された複数の蛍光体粒子からなる上記蛍光体を備えたコア単独構造の蛍光体担持光ファイバからなるか、または（ｂ）コア（芯）とクラッド（被覆）からなる光ファイバと、上記クラッドに含有された複数の蛍光体粒子からなる上記蛍光体を備えたコア−クラッド複合構造の蛍光体担持光ファイバを素材とした織布または不織布であることができる。
【００４１】
上記蛍光チューブを備えたＬＥＤランプであって、更に、長尺な多角形支柱を設け、上記多角形支柱はその外面に上記ＬＥＤアレイを配置し、上記蛍光チューブの空洞内に上記蛍光チューブの内面と所定間隔を隔て保持されることができる。
【００４２】
上記蛍光チューブを備えたＬＥＤランプであって、複数の上記ＬＥＤアレイが、上記長尺多角形支柱の複数の長尺な上記外面に沿って配置され固定されることができる。
【００４３】
上記蛍光チューブを備えたＬＥＤランプであって、上記長尺多角形支柱は、少なくとも外面を絶縁性とし、上記外面に給電配線を設けたものであり、上記ＬＥＤ素子が上記外面に実装されることができる。
【００４４】
上記蛍光チューブを備えたＬＥＤランプであって、複数の長尺な上記ＬＥＤアレイが、その一端辺が上記支柱の側面に固定され、その他端辺が上記蛍光チューブの内面に向かって延長されることができる。
【００４５】
上記蛍光チューブを備えたＬＥＤランプであって、上記ＬＥＤアレイが、上記支柱を用いることなく、上記チューブの長尺な内部空洞の長さ方向に螺旋状に延長して配置され、それ自体で螺旋状の形体を保持することができる。
【００４６】
上記蛍光チューブを備えたＬＥＤランプであって、上記ＬＥＤアレイが、長尺フレキシブル基板の前面および、または裏面に複数の上記ＬＥＤ素子を実装したものであり、支柱を用いることなく、上記ＬＥＤアレイを折り曲げて上記チューブの長尺な内部空洞の長さ方向に螺旋状に延長して配置され、それ自体で螺旋状の形体を保持することができる。
【００４７】
上記蛍光チューブを備えたＬＥＤランプであって、上記ＬＥＤアレイが、上記長尺多角形支柱の上記外面に沿って螺旋状に巻き付けて配置され固定されることができる。
【００４８】
上記蛍光チューブを備えたＬＥＤランプであって、上記ＬＥＤアレイが、上記長尺多角形支柱の替わりに、複数の長尺線状体を仮想の輪郭線が多角形になるように束ねた骨組形支柱を用い、上記骨組形支柱の骨組に沿って螺旋状に巻き付けて配置され固定されることができる。
【００４９】
上記蛍光チューブを備えたＬＥＤランプであって、上記ＬＥＤアレイが、長尺フレキシブル基板の前面および、または裏面に複数の上記ＬＥＤを実装したものであり、
上記長尺多角形支柱の替わりに、複数の長尺線状体を仮想の輪郭線が多角形になるように束ねた骨組形支柱を用い、上記骨組形支柱の骨組に沿って螺旋状に巻き付けて配置され固定されることができる。
【００５０】
上記蛍光チューブを備えたＬＥＤランプであって、更に広角レンズまたは部分反射リフレクタを上記ＬＥＤの光出射面と対応して設け、上記広角レンズまたは上記部分反射リフレクタにより、上記ＬＥＤ素子からの出射光の角度を拡大することができる。
【００５１】
上記蛍光チューブを備えたＬＥＤランプであって、更に広角レンズまたは部分反射リフレクタを上記ＬＥＤ素子の光出射面と対応して設け、上記広角レンズまたは上記部分反射リフレクタにより、上記ＬＥＤ素子からの出射光の角度（指向角度も照射角度）を拡大し、上記広角レンズまたは上記部分反射リフレクタがＶ字形または逆円錐形の断面形状を有することができる。
【００５２】
上記蛍光チューブを備えたＬＥＤランプであって、更に広角レンズまたは部分反射リフレクタを上記ＬＥＤ素子の光出射面と対応して設け、上記広角レンズまたは上記部分反射リフレクタにより、上記ＬＥＤ素子からの出射光の角度を拡大し、上記広角レンズまたは上記部分反射リフレクタが複数の上記ＬＥＤ素子と対応する長尺な共通なレンズまたは部分反射リフレクタであることができる。
【００５３】
上記蛍光チューブを備えたＬＥＤランプであって、上記蛍光チューブは少なくとも一方の端末に設けた開口を塞ぐ、給電端子を有するキャップ状部からなる口金を備えることができる。
【００５４】
上記蛍光チューブを備えたＬＥＤランプであって、更に、一対の端末を連通する空洞を備えた、高い熱伝導性を有する長尺多角形支柱を設け、上記多角形支柱はその外面に上記ＬＥＤアレイを配置し、上記ＬＥＤ素子からの発熱を上記空洞側の内面に伝達し、上記空洞内に放熱することができる。
【００５５】
上記蛍光チューブを備えたＬＥＤランプであって、更に、上記ＬＥＤアレイまたは上記ＬＥＤアレイを配置した支柱を上記蛍光チューブの内面と所定間隔を隔て保持する複数のスペーサーを設けることができる。
【００５６】
上記蛍光チューブを備えたＬＥＤランプであって、上記チューブは少なくとも一方の端末に設けた開口を塞ぐ、キャップ状部材を備え、上記キャップ状部材に通風孔または放熱フィンを設けることができる。
【００５７】
上記蛍光チューブを備えたＬＥＤランプであって、上記長尺透光性チューブが、上記内部空洞を有するように、透光性長尺部材と非透光性長尺ハウジングを結合し、部分的に透光性を有する部分透光性チューブからなり、高い熱伝導性材料を有する上記非透光性長尺ハウジングの前面に上記長尺ＬＥＤアレイを熱伝導接触して配置し、上記ハウジングの裏面にヒートシンクを配置することができる。
【００５８】
上記蛍光チューブを備えたＬＥＤランプであって、上記チューブは少なくとも一方の端末に設けた開口を塞ぐ、給電端子を有するキャップ状部からなる口金を備え、上記口金の空洞近辺に上記ＬＥＤ素子を点灯する点灯回路を内蔵することができる。
【００５９】
上記蛍光チューブを備えたＬＥＤランプであって、紫外線を吸収または反射する紫外線遮蔽手段を、上記蛍光チューブに設けることができる。
【００６０】
上記蛍光チューブを備えたＬＥＤランプであって、紫外線を吸収または反射する紫外線遮蔽手段を、上記蛍光チューブに設け、上記紫外線遮蔽手段が紫外線を吸収し可視光線を透過する光触媒膜または紫外線を反射し可視光線を透過するダイクロイック・ミラーからなることができる。
【００６１】
上記蛍光チューブを備えたＬＥＤランプであって、複数の上記ＬＥＤ素子を実装したフレキシブル回路基板からなる上記ＬＥＤアレイを折り曲げて多角形支柱の多角形表面に配置して、固定することができる。
【００６２】
上記蛍光チューブを備えたＬＥＤランプであって、上記ＬＥＤアレイが、らせん状に変形させた帯状のフレキシブル基板に複数の上記ＬＥＤ素子を実装し、上記フレキシブル基板の表面に形成した高い熱伝導率を有する硬化性樹脂層を備え、上記ＬＥＤアレイが上記硬化性樹脂層の硬化によって螺旋状の形状を保持することができる。
【００６３】
上記蛍光チューブを備えたＬＥＤランプであって、この発明の他の態様の照明装置は、前述の蛍光チューブを備えたＬＥＤランプと、上記ＬＥＤランプの外部に配置した上記ＬＥＤ素子を点灯する点灯回路からなることができる。
【図面の簡単な説明】
【００６４】
【図１】図１は、実施例ＮＯ．１の線状ＬＥＤランプ６００を示す概略的な斜視図である。
【図２】図２は、図１のＫ−Ｋ’線に沿って切断した線状ＬＥＤランプ６００の概略的な断面図である。
【図３】図３は、図１のＬ−Ｌ’線に沿って切断した線状ＬＥＤランプ６００の概略的な部分拡大断面図である。
【図４】図４は、図１のＭ−Ｍ’線に沿って切断した線状ＬＥＤランプ６００の概略的な部分拡大断面図である。（図４は、図１における矢印Ｑ付き鎖線の矢の方向から見た線状ＬＥＤランプ６００の図でもある。）
【図５】図５は複数の蛍光ファイバ３５、３６を配置した光透過性チューブ２０Ｔを示す概略的な部分拡大斜視図である。
【図６】図６は、図５のＣ−Ｃ線に沿って切断した一つのタイプの蛍光ファイバ３５を示す概略的な断面図である。
【図７】図７は、図５のＣ−Ｃ線に沿って切断した他のタイプの蛍光ファイバ３６を示す概略的な断面図である。
【図８】図８は、一本の蛍光ファイバ３５と、その発光原理と光路を示す概略的な拡大斜視図である。
【図９】図９は、一本の蛍光ファイバ３６と、その発光原理と光路を示す概略的な拡大斜視図である。
【図１０】図１０は、発光ユニットＬＵ−１０を示す概略的な斜視図である。
【図１１】図１１（図１１Ａ、図１１Ｂ）は、スペーサー５３０を示し、図１１Ａはスペーサー５３０を示す概略的な斜視図、図１１Ｂはスペーサー５３０の配置を示す概略的な断面図である。
【図１２】図１２は、発光ユニットＬＵ−１０のＬＥＤアレイ１０Ａ、ＬＥＤ点灯回路４０を示す電気回路図である。
【図１３】図１３は、発光ユニットＬＵ−１０のＬＥＤアレイ１０Ａ、ＬＥＤ点灯回路４０を示す他の電気回路図である。
【図１４】図１４は、線状ＬＥＤランプ６００の放熱経路を示す概略的な断面図である。
【図１５】図１５は、黄色蛍光突起３０−Ａと青色光とを組み合わせた場合の光路を記入した蛍光突起３０−Ａを示す概略的な部分拡大断面図である。
【図１６】図１６は、三原色蛍光突起３０−Ｂと近紫外光とを組み合わせた場合の光路を記入した蛍光突起３０−Ｂを示す概略的な部分拡大断面図である。
【図１７】図１７は、蛍光突起３０（３０−１’ないし３０−６’）を示す概略的な拡大斜視図である。
【図１８】図１８は、蛍光突起３０（３０−７’ないし３０−１０’）を示す概略的な拡大斜視図である。
【図１９】図１９は、蛍光突起３０（３０−１１’および３０−１２’）を示す概略的な拡大斜視図である。
【図２０】図２０は、蛍光突起の他の具体例を示す部分拡大断面図である。
【図２１】図２１（図２１Ａ、図２１Ｂ）は、蛍光体含有素子３４（３４Ａ、３４Ｂ）とその配置を示し、図２１Ａは概略的な拡大断面図、図２１Ｂは図２１Ａの矢ＡＲ１の矢印の方向から見た複数の蛍光体含有素子３４の配置を示す正面図である。
【図２２】図２２（図２２Ａ、図２２Ｂ）は、蛍光体含有素子３４（３４Ａ、３４Ｂ）の構成を示し、図２２Ａは蛍光体含有素子３４Ａを示す概略的な拡大断面図、図２２Ｂは他の蛍光体含有素子３４Ｂを示す概略的な拡大断面図である。
【図２３】図２３（図２３Ａ、図２３Ｂ）は、大小の蛍光体含有素子３４ａ、３４ｂとその配置を示し、図２３Ａは概略的な拡大断面図、図２３Ｂは図２３Ａの矢ＡＲ２の矢印の方向から見た複数の蛍光体含有素子３４の配置を示す正面図である。
【図２４】図２４（図２４Ａ、図２４Ｂ、図２４Ｃ）は、蛍光ファイバ３５、３６の各種の配置構成を示す概略的な部分断面図である。
【図２５】図２５（図２５Ａ、図２５Ｂ）は、蛍光織布、蛍光不織布を用いる実施例を示し、図２５Ａは蛍光織布（蛍光クロス）を示す部分断面図であり、図２５Ｂは蛍光不織布を示す部分断面図である。
【図２６】図２６は、この実施例Ｎ０．２の発光ユニットＬＵ−２０と、その製法を示す概略的な斜視図である。
【図２７】図２７は、この実施例Ｎ０．３の発光ユニットＬＵ−３０と、その製法を示す概略的な斜視図である。
【図２８】図２８はこの実施例Ｎ０．４の発光ユニットＬＵ−４０を示す概略的な斜視図である。
【図２９】図２９（図２９Ａ、図２９Ｂ）は、上記スペーサー５３０の変形（１）のスペーサー５３１を示し、図２９Ａはスペーサー５３１を示す概略的な斜視図であり、図２９Ｂはスペーサー５３１を示す概略的な断面図である。
【図３０】図３０（図３０Ａ、図３０Ｂ）は、上記スペーサー５３０変形（２）のスペーサー５３２を示し、図３０Ａはスペーサー５３２を示す概略的な断面図であり、図３０Ｂはスペーサー５３２を示す概略的な斜視図である。
【図３１】図３１（図３１Ａ、図３１Ｂ）は、線状ＬＥＤランプ６１０を示し、図３１Ａは概略的な斜視図、図３１Ｂは概略的な断面図である。
【図３２】図３２（図３２Ａ、図３２Ｂ）は、スペーサー５３３を示し、図３１Ａは概略的な斜視図、図３１Ｂは概略的な断面図である。
【図３３】図３３（図３３Ａ、図３３Ｂ）は、線状ＬＥＤランプ６２０を示し、図３３Ａは概略的な斜視図、図３３Ｂは概略的な断面図である。
【図３４】図３４（図３４Ａ、図３４Ｂ）は、実施例Ｎ０．７の線状ＬＥＤランプ６３０を示し、図３４Ａは概略的な斜視図、図３４Ｂは概略的な断面図である。
【図３５】図３５は、ＮＯ．８の線状ＬＥＤランプ７００を示す概略的な斜視図である。
【図３６】図３６は、線状ＬＥＤランプ７００における発光ユニットＬＵ−１００を示す概略的な斜視図である。
【図３７】図３７は、発光ユニットＬＵ−１００を構成する一つの発光セグメント１００−ｎを示す概略的な拡大斜視図である。
【図３８】図３８は、発光セグメント１００−ｎの電気的回路を示す概略的な拡大斜視図である。
【図３９】図３９は、発光ユニットＬＵ−１００を示す概略的な側面図である。
【図４０】図４０は、図３５のＫ−Ｋ’線に沿って切断した線状ＬＥＤランプ７００の概略的な断面図である。
【図４１】図４１は、図３６の矢印Ｑの方向から見た線状ＬＥＤランプ７００を示す概略的な断面図である。
【図４２】図４２は、発光ユニットＬＵ−１００の電気的回路図である。
【図４３】図４３は、発光ユニットＬＵ−１００の他の電気的回路図である。
【図４４】図４４は、発光ユニットＬＵ−１００に使用する基板１１Ｃを示し、図４４Ａは基板１１Ｃを帯状に展開した時の概略的な正面図、図４４Ｂは基板１１Ｃの一部を拡大して示す断面図、図４４Ｃは基板１１Ｃの他の一部を拡大して示す断面図である。
【図４５】図４５は、帯状に展開した時の基板１１Ｃに複数のＬＥＤ１０を実装した発光ユニットＬＵ−１００の概略的な正面図である。
【図４６】図４６は、実施例ＮＯ．９線状ＬＥＤランプ７００を示す概略的な斜視図である。
【図４７】図４７は、実施例ＮＯ．１０の線状ＬＥＤランプ７２０を示す概略的な斜視図である。
【図４８】図４８は、実施例ＮＯ．１１の線状ＬＥＤランプ７３０を示す概略的な斜視図である。
【図４９】図４９は、線状ＬＥＤランプ７３０における発光ユニットＬＵ−１２０を示す概略的な斜視図である。
【図５０】図５０は、発光ユニットＬＵ−１２０を構成する一つの発光セグメント１２０−ｎを示し、図５０Ａは概略的な拡大斜視図、図５０Ｂは電気回路図である。
【図５１】図５１は、図４８のＬ−Ｌ’線に沿って切断した線状ＬＥＤランプ７３０の概略的な部分拡大断面図である。
【図５２】図５２は、長尺広角レンズ７０２を追加した実施例ＮＯ．１２の線状ＬＥＤランプ７４０を示す概略的な斜視図であり、また長尺広角レンズ７０２を拡大して示す概略的な斜視図である。
【図５３】図５３は、線状ＬＥＤランプ７４０を示す概略的な分解斜視図であり、また長尺拡大レンズ７０２を拡大して示す概略的な部分斜視図である。
【図５４】図５４は、図５２のＭ−Ｍ≡線に沿って切断した概略的な拡大断面図である。
【図５５】図５５（図５５Ａ、図５５Ｂ）は、部分反射性長尺リフレクタ７０３、７０４を示し、図５５Ａは部分反射性長尺リフレクタ７０３を示す概略的な斜視図、図５５Ｂは他の部分反射性長尺リフレクタ７０４を示す概略的な斜視図である。
【図５６】図５６は、線状ＬＥＤランプ７５０を示す概略的な拡大断面図である。
【図５７】図５７は、この実施例ＮＯ．１４の線状ＬＥＤランプ７６０を示す概略的な断面図と、口金部分（キャップ）を示す概略的な斜視図である。
【図５８】図５８は、この実施例ＮＯ．１５の線状ＬＥＤランプ７６１を示す概略的な断面図と、口金部分を示す概略的な斜視図である。
【図５９】図５９は、この実施例ＮＯ．１６の線状ＬＥＤランプ７６２を示す概略的な部分断面図である。
【図６０】図６０は、この実施例ＮＯ．１７の環状ＬＥＤランプ７７０を示し、一部を断面として示す概略的な正面図である。
【図６１】図６１（図６１Ａ、図６１Ｂ）は、環状ＬＥＤランプ７７０の概略的な断面図であり、図６１Ａは、図６０の曲線Ｔ−Ｔ’に沿って切断した断面図、図６１Ｂは、図６０の直線Ｕ−Ｕ’に沿って切断した断面図である。
【図６２】図６２は、実施例ＮＯ．１８の線状ＬＥＤランプ７８０を示す概略的な斜視図である。
【図６３】図６３は、線状ＬＥＤランプ７８０の一部を示す概略的な分解斜視図である。
【図６４】図６４は、線状ＬＥＤランプ７８０の一部を示す概略的な斜視図である。
【図６５】図６５は、図６２のＭ−Ｍ≡線に沿って切断した概略的な拡大断面図である。
【発明を実施するための形態】
【００６５】
この発明の種々の実施例（実施の形態）を以下に添付図面を参照して記載する。
【００６６】
全ての図面において、同一または類似の構成要素、構成部分には、同一の参照符号を付している。
【００６７】
＜実施例ＮＯ．１：  線状ＬＥＤランプ６００＞
【００６８】
この発明の実施例ＮＯ．１を、図１ないし図１４を参照して記載する。
【００６９】
図１は、実施例ＮＯ．１の線状ＬＥＤランプ６００を示す概略的な斜視図である。
【００７０】
図２は、図１のＫ−Ｋ’線に沿って切断した線状ＬＥＤランプ６００の概略的な断面図である。
【００７１】
図３は、図１のＬ−Ｌ’線に沿って切断した線状ＬＥＤランプ６００の概略的な部分拡大断面図である。
【００７２】
図４は、図１のＭ−Ｍ’線に沿って切断した線状ＬＥＤランプ６００の概略的な部分拡大断面図である。（図４は、図１における矢印Ｑ付き鎖線の矢の方向から見た線状ＬＥＤランプ６００の図でもある。）
【００７３】
図５は複数の蛍光ファイバ３５、３６を配置した光透過性チューブ２０Ｔを示す概略的な部分拡大斜視図である。
【００７４】
図６は、図５のＣ−Ｃ線に沿って切断した一つのタイプの蛍光ファイバ３５を示す概略的な断面図である。
【００７５】
図７は、図５のＣ−Ｃ線に沿って切断した他のタイプの蛍光ファイバ３６を示す概略的な断面図である。
【００７６】
図８は、一本の蛍光ファイバ３５と、その発光原理と光路を示す概略的な拡大斜視図である。
【００７７】
図９は、一本の蛍光ファイバ３６と、その発光原理と光路を示す概略的な拡大斜視図である。
【００７８】
図１０は、発光ユニットＬＵ−１０を示す概略的な斜視図である。
【００７９】
図１１（図１１Ａ、図１１Ｂ）は、スペーサー５３０を示し、図１１Ａはスペーサー５３０を示す概略的な斜視図、図１１Ｂはスペーサー５３０の配置を示す概略的な断面図である。
【００８０】
図１２は、発光ユニットＬＵ−１０のＬＥＤアレイ１０Ａ、ＬＥＤ点灯回路４０を示す電気回路図である。
【００８１】
図１３は、発光ユニットＬＵ−１０のＬＥＤアレイ１０Ａ、ＬＥＤ点灯回路４０を示す他の電気回路図である。
【００８２】
図１４は、線状ＬＥＤランプ６００の放熱経路を示す概略的な断面図である。
【００８３】
図１ないし図４、図１０を参照して、線状ＬＥＤランプ６００は、内面に複数の蛍光ファイバ３５または３６を設けた直管円筒形など管状の光透過性（透光性）部材からなる光透過性（透光性）を有する中空チューブ部材２０Ｔと、六角形（多角形）の長尺支柱５２０とその複数の長尺表面に配置された複数の短波長形ＬＥＤ（ＬＥＤ素子）１０を長尺な回路基板１１Ａのそれぞれの表面に実装した複数のＬＥＤアレイ（ＬＥＤ配列体）１０ＡからなるＬＥＤ発光ユニットＬＵ−１０からなる。
【００８４】
この線状ＬＥＤランプ６００は、図１に示すように通常の直管形蛍光ランプに類似した外観を有している。
【００８５】
光透過性中空チューブ部材２０Ｔは、ガラスまたは例えばポリカーボネート樹脂（ＰＣ）、ポリメチルメタアクリレート（ＰＭＭＡ）などのアクリル樹脂（ＡＣ）、ポリエチレンテレフタレート樹脂（ＰＥＴ）などの光透過性樹脂からなることができる。
【００８６】
ＬＥＤ発光ユニットＬＵ−１０は、少なくともＬＥＤ発光ユニットＬＵ−１０  の両端に固定されたスペーサー（間隔保持部材）５３０によってチューブ部材２０Ｔの中心軸に沿ってチューブ部材２０Ｔ内の長尺空間（空洞）に配置され、ＬＥＤアレイ１０Ａと中空チューブ部材２０Ｔの内面との離間距離を所定間隔に保持する。
【００８７】
長尺な回路基板１１Ａは、直線状（帯状）の硬質絶縁基板、直線状（帯状）のフレキシブル絶縁基板の表面に銅、アルミニュウムなどの箔、フィルム状の高導電体からなる給電パターンを形成したものである。
【００８８】
硬質絶縁基板としては例えばエポキシ樹脂にガラス繊維を含むガラス・エポキシ樹脂基板などが挙げられ、フレキシブル絶縁基板としては例えばポリイミド樹脂シートまたは薄く軟質とした薄いガラス・エポキシ樹脂基板などが挙げられる。
【００８９】
蛍光ファイバ３５、３６は、蛍光体の表面積または容積を実質的に拡大する「蛍光面積・容積拡大要素」の一種である。複数の蛍光ファイバ３５または３６は、光透過性を有する透光性接着剤、透光性結合材（バインダー）に複数の蛍光体粒子を分散、混入して含む蛍光性結合材層３７に立設して透光性チューブ２０Ｔの内面に配置されることができる。
【００９０】
紫外、紫色形ＬＥＤ素子１０と三原色蛍光体の組合せを用いる場合には、蛍光性結合材層３７をチューブ部材２０Ｔの内面にほぼ全面的に形成するのが望ましく、それにより紫外形ＬＥＤ素子１０からのほぼ全ての紫外線を蛍光性結合材層３７とその上に点在する蛍光ファイバ３５または３６により吸収、波長変換させることができ、紫外線がチューブ部材２０Ｔの外部にほとんど漏洩しなくする。一方、青形ＬＥＤ素子１０と黄色蛍光体の組合せを用いる場合には、黄色蛍光体からの黄色光線と青形ＬＥＤ素子１０からの一部の青色光線を共にチューブ部材２０Ｔの外部に出射させる必要があるので、蛍光性結合材層３７を用いても、蛍光性結合材層３７の替わりに蛍光体を除いた結合材層を用いてもいずれかでよい。以上の点は、蛍光ファイバ３５または３６の替わりに、蛍光突起、蛍光ファイバ、蛍光体含有素子、蛍光織布、蛍光不織布などの他の上記蛍光面積・容積拡大要素を用いる場合にも適用できる。
【００９１】
立設した蛍光ファイバ３５または３６を得る一例の方法は、未硬化の蛍光性結合材層３７を予め光透過性中空チューブ部材２０Ｔの内面にほぼ全面的に形成し、その後に蛍光ファイバ３５または３６を静電植毛、吹き付け植毛などの任意の植毛手段などにより上記蛍光性結合材層３７に立設して仮固定し、その後に蛍光性結合材層３７を硬化させることからなることができる。
【００９２】
発光ユニットＬＵ−１０は、複数の長尺な回路基板１１Ａのそれぞれに複数の青色光線、紫色光線または近紫外光線などの短波長光線を放射する短波長形発光ダイオード（以下、ＬＥＤまたはＬＥＤ素子と称する）１０を少なくとも一列に配列して実装された複数の長尺なＬＥＤアレイ１０Ａと、透光性チューブ２０Ｔの中心軸に沿って延在する長尺な６角形などの多角形の支柱５２０からなり、複数のＬＥＤアレイ１０Ａは多角形の支柱５２０の６個など複数個の長尺な表面に配置されている。
【００９３】
蛍光性結合材層３７に含まれる上記透光性接着剤、透光性結合材としては、合成樹脂または低軟化性、低融点を有するガラスを用いることができる。
【００９４】
蛍光性結合材層３７に含まれる上記透光性接着剤、透光性結合材は、青色光線、紫色光線からなる可視光線を放射する短波長形ＬＥＤを用いる場合には、合成樹脂として例えば透光性エポキシ樹脂、透光性アクリル樹脂などの汎用透光性樹脂を用いることができる。
【００９５】
蛍光性結合材層３７に含まれる上記透光性接着剤、透光性結合材は、高い光エネルギーを有する近紫外線などの紫外線（ＵＶ）を放射する短波長形ＬＥＤを用いる場合には、紫外線の長時間照射に対して劣化しにくい耐紫外特性と紫外線透過性の優れた例えばシリコーン樹脂、シリコーンゴム、無定形（アモルファス）フッ素樹脂、ポリイミド樹脂、改質シリコーン樹脂、改質エポキシ樹脂等の透光性合成樹脂、または透光性ガラスを用いることができる。
【００９６】
ＬＥＤアレイ１０Ａは、例えば熱伝導性グリース、熱伝導性接着材を介在して、熱伝導結合して高熱伝導性支柱５２０の外面に固定されるのが望ましい。
【００９７】
ＬＥＤアレイ１０Ａの回路基板１１Ａ（図３、図４参照）は、支柱５２０の複数の長尺表面に高い熱伝導性を有する接着材、粘着材などの結合材を用いて、または上記結合材を介在／介在せずにネジなどの固定手段を用いて、支柱５２０の複数の長尺表面に固定されて配置される。
【００９８】
長尺な多角形支柱５２０は、高熱伝導性を有する金属、または高熱伝導性を有する高熱伝導性フィラーを含有した任意の熱可塑性または硬化性樹脂からなるのが望ましく、これによりＬＥＤ１０から発生する熱をＬＥＤアレイ１０Ａの裏面から高熱伝導性支柱５２０に伝達して放熱することができる。
【００９９】
上記高熱伝導性金属としては、例えばアルミニウム、銅などが挙げられ、また上記高熱伝導性樹脂に含有する高熱伝導性フィラーまたはファイバとしては、例えば窒化ホウ素（ＢＮ）、窒化アルミニウム（ＡｌＮ）、アルミナ（Ａｌ2Ｏ3）、カーボンなどの粒子またはファイバなどが挙げられる。
【０１００】
多角形の支柱５２０は、軽量化および放熱空洞とするためその両端を連通する中空であるのが望ましい。
【０１０１】
長尺多角形支柱５２０をその長さ方向にわたって中空とした長尺チューブ部材とすることより、長尺多角形支柱５２０の重量を低減することができ、したがって線状ＬＥＤランプ６００を軽量化でき、またＬＥＤ１０から発生する熱を長尺な中空空洞に放熱することができる。
【０１０２】
支柱５２０を透光性チューブ２０Ｔの内部空洞の軸に沿って保持し、透光性チューブ２０Ｔ内面に配置された蛍光ファイバとＬＥＤアレイ１０Ａとの距離を所定間隔に保持するために、複数の腕状部材などを有するスペーサー５３０が、少なくとも支柱５２０の両端近辺に固定されている。
【０１０３】
キャップ部材（エンド・キャップ）５１０は、透光性チューブ２０Ｔの両端の円形などの開口を塞ぐものである。
【０１０４】
キャップ部材（エンド・キャップ）５１０少なくとも一方は、本体５１０ａと口金５１０から突出しＬＥＤアレイ１０Ａに直流電力を給電するピン形などの受電端子５１０ｂと受電端子５１０ｂを固定する絶縁板５１０ｃからなる周知の直管形蛍光ランプと同様または類似した給電用の口金５１０とすることができる。
【０１０５】
図３、図４に示すように、発光ユニットＬＵ−１０は、支柱５２０の複数の表面に熱伝導接触して固定、配置され、回路基板１１Ａの表面に実装されたＬＥＤアレイ１０Ａからなり、ＬＥＤアレイ１０Ａに青色、紫色光線または近紫外光線からなる短波長一次光線Ｌ１を放射する複数のＬＥＤ  １０が配置されている。
【０１０６】
ＬＥＤ  １０の光出射部と透光性チューブ２０Ｔの内面に立設して配置された蛍光ファイバ３５、３６は所定間隔離れて配置され、それぞれのＬＥＤ  １０の光出射部から放射された一次光線Ｌ１は複数本の蛍光ファイバ３５、３６を照射する。
【０１０７】
短波長形ＬＥＤ素子１０は紫外線、紫色、青色光線などの一次短波長光線Ｌ１を放射し、蛍光ファイバ３５または３６と蛍光性結合層３７は一次短波長光線Ｌ１を受光して、蛍光ファイバ３５または３６に含まれる蛍光体を励起し、より長い波長範囲の可視光線Ｌ２を放射する。
【０１０８】
そして大部分の可視二次光線Ｌ２または可視二次光線Ｌ２と一部の可視一次光線Ｌ１は透光性チューブ２０Ｔを通過して外部に出射し、照明光線となる。
【０１０９】
この実施例では、長尺多角形支柱５２０は６角形の断面を有し、６個の外表面に計６個の長尺ＬＥＤアレイ１０Ａを固定して配置しているが、これに限定されない。多角形支柱５２０は少なくとも３角形の断面を有し、３個の外表面に計３個の長尺ＬＥＤアレイ１０Ａを配置してもよい。
【０１１０】
それにより、ＬＥＤ発光ユニットＬＵ−１０から放射する一次短波長光線Ｌ１を少なくとも異なる３方向またはそれ以上の多方向に指向して、チューブ部材２０Ｔの内面のほぼ全周面に配置したほぼすべての蛍光ファイバ３５または３６を励起することができる。ほぼすべての蛍光ファイバ３５または３６は一次短波長光線Ｌ１を波長変換して二次可視光線Ｌ２を放射する。
【０１１１】
したがって、ほぼすべての蛍光ファイバ３５または３６は一次短波長光線Ｌ１を波長変換して二次可視光線Ｌ２を放射し、光透過性を有するチューブ部材２０Ｔのほぼ全周面から二次可視光線Ｌ２を外部に出射して照明光線となる。
【０１１２】
＜蛍光面積・容積拡大要素の具体例：  蛍光ファイバ３５、３６＞
【０１１３】
線状ＬＥＤランプ６００は、蛍光面積・容積拡大要素として光ファイバなどのファイバに蛍光体を坦持した蛍光ファイバ３５、３６からなる蛍光突起を用いるものである。
【０１１４】
図５ないし図９を参照して蛍光ファイバ３５、３６と、その発光原理、光路を説明する。
【０１１５】
図５に示すように、蛍光体を担持した複数の蛍光性ファイバ３５、３６が、光透過性チューブ部材２０Ｔに立設して配置されている。
【０１１６】
＜コア単独構造を有する蛍光体担持光ファイバ３５＞
【０１１７】
図６、図８に示すタイプのコア単独構造を有する蛍光体担持光ファイバ（蛍光ファイバ）３５は、光ファイバ・コア３５ａと光ファイバ・コア３５ａの内部に混入した複数の蛍光体粒子３５ｂからなり、蛍光性ファイバ３５は光透過性チューブ部材２０Ｔの内面に配置されている。
【０１１８】
図６に示す蛍光性ファイバ３５と光透過性チューブ部材２０Ｔ内面の間に複数の蛍光体粒子を光透過性接着剤などの光透過性結合剤（バインダー）に混入した蛍光層（蛍光膜）３７を介在するのが望ましい。
【０１１９】
光透過性チューブ部材２０Ｔ内面に、予め複数の蛍光体粒子を光透過性接着剤に混入した未硬化の蛍光接着層３７を形成し、例えば静電植毛手段などの任意の植毛法により未硬化の蛍光接着層３７上に複数の蛍光性ファイバ３５を植毛し、その後に蛍光接着層３７を硬化することにより、光透過性チューブ部材２０Ｔ内面に複数の蛍光性ファイバ３５を立設することができる。
【０１２０】
蛍光性ファイバ３５を静電植毛する場合には、全ての蛍光性ファイバ３５を光透過性チューブ部材２０Ｔ内面にほぼ垂直に立設することができ、したがって蛍光性ファイバ３５はその頂面と側周面から一次励起光線を容易に受光することができる。
【０１２１】
蛍光光ファイバ３５は、簡潔に述べると長さ方向に延びるコア状の導光体からなるコア（芯）３５ａと、コア３５ａに含有した多数の蛍光体、蛍光体粒子３０ｂとからなり、所定の長さと固定端３５ａと固定端３５ａと対向する自由端３５ｄを有する。
【０１２２】
近紫外ＬＥＤから放射する近紫外線”ＵＶ”は蛍光体含有コア３５ａの自由端３５ｄ及び側面３５ｃから蛍光体含有コア３５ａに入射する。その時に蛍光体含有コア３５ａ内の蛍光体粒子、蛍光体３０ｂが紫外線”ＵＶ”により励起され、可視光”ＶＬ”を発する。
【０１２３】
この可視光”ＶＬ”は一部がコア３５ａの側面３５ｃで少なくとも一回、全反射して自由端３５ｄの方向に進行し、他の一部は直接、自由端３５ｄの方向に進行して自由端３５ｄからする出射する。可視光”ＶＬ”の更に他の一部はコア３５ａの側面３５ｃから出射する。
【０１２４】
そしてこれらの可視光”ＶＬ”の大部分は、蛍光体担持光ファイバ３５を支持、固定する可視光線透過性チューブ（可視光線透過性管状部材）２０Ｔから出射する。
【０１２５】
蛍光体担持光ファイバ３５は、３波長帯域発光蛍光体の１種乃至３種の多数の蛍光体粒子３０ｂをＳｉＯ２、Ｂ２Ｏ３などの通常のガラス粒子と混合し、その後にこの混合物をガラス粒子の軟化温度以上の温度まで加熱し、ガラス粒子を軟化又は溶融させてノズルから押し出すなどの方法で製造することができる。
【０１２６】
蛍光体担持光ファイバ３５はアスペクト比（長さ対、直径の比率）が例えば約１から２００程度、望ましくは約２−５０程度の平均長に切断して用いることができる。
【０１２７】
コア３６Ａの素材、母材としては紫外線透過性、紫外線導光性の優れた例えば公知の石英ガラス（シリカガラス）、ほう珪酸ガラス等を用いることができる。
【０１２８】
その代わりに、コア３６Ａの素材、母材としては紫外線透過性、紫外線導光性の優れた例えば公知の無定形（アモルファス）フッ素樹脂、シリコーン樹脂等のポリマー、合成樹脂を用いることができる。
【０１２９】
＜コア−クラッド複合構造を有する蛍光体担持光ファイバ３６＞
【０１３０】
図７、図９に示すように、コア−クラッド複合構造を有する光ファイバの光ファイバ・クラッド内に蛍光体を含有したコア−クラッド複合構造を有する蛍光体担持光ファイバ（蛍光ファイバ）３６を用いることができる。
【０１３１】
コア−クラッド複合構造の蛍光体担持光ファイバ（蛍光ファイバ）３６は、簡潔に述べると長さ（軸方向）方向に延びるコア状の光透過性の優れた導光体からなるコア（芯）３６Ａと、コア（芯）３６Ａの側面に形成された多数の蛍光体粒子３０Ｂｂを含有したクラッド３６Ｂａとからなり、所定の長さと固定端３６Ａｂと固定端３６Ａｂと対向する自由端３６Ａａを有する。
【０１３２】
コア３６Ａの側面および頂面に蛍光体含有クラッド３６Ｂａをほぼ全面的に被覆するのが望ましい。
【０１３３】
近紫外ＬＥＤから放射する紫外線”ＵＶＬ”は蛍光体含有クラッド３６Ｂの側面から蛍光体含有クラッド３６Ｂａに入射する。
【０１３４】
更に、紫外線”ＵＶＬ”はその一部がコア３６Ａの自由端３６Ａａの頂面からコア３６Ａ内に進行してコア３６Ａの側面から漏れて蛍光体含有クラッド３６Ｂａに入射する。
【０１３５】
その時に蛍光体含有クラッド３６Ｂａ内の蛍光体粒子、蛍光体３０Ｂｂが紫外線”ＵＶＬ”により励起され、可視光”ＶＬ”を無指向性（全の方向性）の散乱光として発する。
３．５．３．６）
【０１３６】
この可視光”ＶＬ”は一部が蛍光体含有クラッド３６Ｂａからコア３６Ａ内に導入されコア３６Ａ内を進行する。
【０１３７】
光通信等で用いられている一般的なステップ・インデックス形光ファイバと同様に、コア３６Ａの屈折率を蛍光体含有クラッド３６Ｂａの屈折率より大とした場合には、可視光”ＶＬ”の一部はコア３６Ａと蛍光体含有クラッド３６Ｂａとの界面で少なくとも一回または複数回、内部全反射してコア３６Ａ内を固定端３６Ａｂの方向に進行し、固定端３６Ａｂから出射し、さらに光透過性チューブ２０Ｔを透過して外部に出射する。
【０１３８】
可視光”ＶＬ”の更に一部は蛍光体含有クラッド３６Ｂａの側面から出射する。
【０１３９】
そしてこれらの可視光”ＶＬ”の大部分は、蛍光体担持光ファイバ３６を支持、固定する可視光透過性の光透過性チューブ２０Ｔから外部に出射する。
【０１４０】
コア３６Ａの素材、母材としては蛍光体担持光ファイバ３５と同様に紫外線透過性、紫外線導光性の優れたガラス、ポリマーを用いるのが望ましい。
【０１４１】
蛍光体含有クラッド３６Ｂａは紫外線透過性の優れた無機結合材（無機バインダー）内に３波長帯域発光蛍光体の１種乃至３種の多数の蛍光体粒子３０Ｂｂを分散して含有するものを用いるのが望ましい。
【０１４２】
例えば、ほぼ全てが上記石英ガラスから成る純シリカガラスをコア３６Ａとし、微量のＦ（フッ素）やＢ（ホウ素）等の屈折率制御材を添加して含むシリカガラス（無機バインダー）内に適量の蛍光体粒子３０Ｂｂを分散することにより、コア２１Ｃよりも屈折率を小さくした蛍光体含有クラッド３６Ｂａを有するステップ・インデックス形蛍光性光ファイバ３６が得られる。
【０１４３】
更に蛍光体含有クラッド３６Ｂａの上に、蛍光体含有クラッド３６Ｂａの無機結合材よりも屈折率の低い蛍光体を含まない紫外線透過性を有する第２のクラッド（図示せず）を被覆しても良く、またはこの場合には蛍光体含有クラッド３６Ｂａからの発光光線を効果的にコア３６Ａ内に閉じ込めて発光光線をその固定端まで導き、光透過性チューブ部材２０Ｔを経由して外部に出射させる。
【０１４４】
この発光光線の残部は、コア３６Ａに入ることなく直接、光透過性チューブ部材２０Ｔを経由して外部に出射する。
【０１４５】
コア（芯）３６Ａの軸方向の長さ“ｌ”と直径“ｄ”との比率（長さ対直径比＝ｌ／ｄ）をコアのアスペクト比と定義すると、アスペクト比が大きい方が光透過性チューブ部材２０Ｔの内壁に配置できる蛍光体担持光ファイバ３６の個数が増加でき、これに従って蛍光体クラッド３６Ｂａの表面積が増大するので望ましい。アスペクト比は例えば約１から２００程度とすることができ、実用的には例えば約２−５０程度とすることができる。
【０１４６】
蛍光ファイバ３６において、蛍光ファイバの投影面積Ｓａに対する蛍光ファイバの側面の表面積Ｓｂによる蛍光体としての表面積は一例として次のように試算でき、例えば２０倍と飛躍的に増加することが解る。
【０１４７】
透光性チューブ２０Ｔの内面の一部を各立体で置き換えた場合との表面積の面積比率を試算すると、例えば、蛍光ファイバの直径を「ｄ」とし、長さは直径の５倍とした場合に、蛍光ファイバの蛍光体層の厚さを無視すると、蛍光ファイバの投影面積Ｓａ＝（円周率ｐｉ）ｘ（直径ｄ）ｘ（直径ｄ）／４、蛍光ファイバの側面の表面積Ｓｂ＝（円周率ｐｉ）ｘ（直径ｄ）ｘ（直径ｄｘ５）、面積比率＝（蛍光ファイバの側面の表面積Ｓｂ）／（蛍光ファイバの投影面積Ｓａ）＝２０となる。ここでいう投影面積とは蛍光ファイバが立設時の底面の面積であり、透光性チューブ２０Ｔの内面において１本の蛍光ファイバが占有する面積である。
【０１４８】
＜スペーサー５３０＞
【０１４９】
図１１Ａに示すように、スペーサー５３０の一例は多角形支柱の外形よりわずかに大きな多角形の内部空洞５３０ｃを有する円盤などからなる本体５３０ａと本体５３０ａの外周から突出した少なくとも３個の所定の長さの腕部５３０ｂからなる。
【０１５０】
図１１Ｂに示すように、スペーサー５３０は、少なくとも長尺多角形支柱５２０の両端に密に挿入して設けられ、中空支柱５２０に固定して配置され、腕部５３０ｂはその本体５３０ａから透光性チューブ２０Ｔの内面まで伸びている。
【０１５１】
それによりスペーサー５３０は、多角形支柱５２０、ＬＥＤ発光ユニットＬＵ−１０をチューブ部材２０Ｔの中空空洞のほぼ中心軸に沿って保持し、ＬＥＤ発光ユニットＬＵ−１０とチューブ部材２０Ｔの内面の間隔を所定距離に保持する。
【０１５２】
＜発光ユニットＬＵ−１０を駆動する電気回路＞
【０１５３】
図１２、図１３に示すように、発光ユニットＬＵ−１０を駆動する電気回路は、６個など複数のＬＥＤアレイ（１０Ａ−１，１０Ａ−２，−−−−，１０Ａ−０５，１０Ａ−６）からなるＬＥＤアレイ１０Ａと、ＬＥＤ点灯回路４０からなる。
【０１５４】
図１２に示すように、複数のＬＥＤアレイ（１０Ａ−１，１０Ａ−２，−−−−，１０Ａ−０５，１０Ａ−６）は互いに直列に電気的接続されており、ＬＥＤ点灯回路４０からのプラス側出力配線１２ａはＬＥＤアレイ１０Ａのプラス側受電端子１５ａを経由してＬＥＤアレイ１０Ａの給電回路配線１５に接続され、ＬＥＤ点灯回路４０からのマイナス側出力配線１２ｂはＬＥＤアレイ１０Ａのマイナス側受電端子１５ｂを経由してＬＥＤアレイ１０Ａの給電回路配線１５に接続される。
【０１５５】
図１３に示すように、複数のＬＥＤアレイ（１０Ａ−１，１０Ａ−２，−−−−，１０Ａ−０５，１０Ａ−６）は並列に電気的接続されており、ＬＥＤ点灯回路４０からのプラス側出力配線１２ａはＬＥＤアレイ１０Ａのプラス側受電端子１６ａを経由してＬＥＤアレイ１０Ａの給電回路配線１６に接続され、ＬＥＤ点灯回路４０からのマイナス側出力配線１２ｂはＬＥＤアレイ１０Ａのマイナス側受電端子１６ｂを経由してＬＥＤアレイ１０Ａの給電回路配線１６に接続される。
【０１５６】
ＬＥＤ点灯回路４０の一例は、商用電源などの外部交流電源（ＡＣ）５４０の電圧を下げるトランスなどの降圧回路と、降圧回路の交流出力を整流して直流電力に変換するダイオード・ブリッジ素子とコンデンサ素子を含む整流回路からなることができる。
【０１５７】
ＬＥＤ点灯回路４０の他の一例は、商用電源などの外部交流電力（ＡＣ）５４０を整流し直流電力に変換する交直変換回路（ＡＣ−ＤＣコンバーター）と交直変換回路の直流出力を、ＬＥＤアレイ１０ＡのＬＥＤ１０を駆動することができるパルス出力を含む直流電圧に変換する駆動回路（ＤＣ−ＤＣコンバーター）からなることができる。
【０１５８】
＜放熱経路＞
【０１５９】
図１４は、図２に放熱経路である対流（空気流）ＡＦＬを記入し、点灯時に線状ＬＥＤアレイ１０Ａに発生する熱を対流ＡＦＬさせる手段を示したものであり、ＬＥＤアレイ１０ＡにおけるＬＥＤ１０のＬＥＤチップにて発生した熱は、ＬＥＤアレイ１０Ａの裏面から高い熱伝導性を有する中空支柱５２０に伝達して熱拡散される。
【０１６０】
更にこの熱は中空支柱５２０の両端を連通する長尺な内部空洞の空気に伝達され、暖められた空気流ＡＦＬとなり中空支柱５２０の両端から両端に位置する口金５１０の内部空洞を経由して中空支柱５２０の外面と透光性チューブ２０Ｔの内面との空間に対流ＡＦＬし、透光性チューブ２０Ｔを経由してその外部に放熱される。
【０１６１】
この比較的に高温の空気は、更にチューブ部材２０Ｔの内面とＬＥＤアレイ１０Ａの前面との間の比較的に低温の空間に流れ冷やされ、支柱５２０の内部空洞に移動し、この熱対流ＡＦＬのサイクルは繰り返され、長時間点灯によりＬＥＤ１０に輝度低下、劣化を生じさせる異常なＬＥＤ１０の温度上昇は避けられる。
【０１６２】
この際に、透光性チューブ２０Ｔの内面に配置された蛍光ファイバ３５、３６の存在は、その表面積が大きいために暖められた空気流ＡＦＬからの熱を受けとるのを促進する。
【０１６３】
更に口金５３０がアルミニウムなどの高い熱伝導性材料とするときには、暖められた空気流ＡＦＬは口金５３０からも外部に放熱される。
【０１６４】
青色一次光線Ｌ１を発する青色ＬＥＤ素子１０と、黄色蛍光体を含む黄色蛍光ファイバ３５または３６、黄色蛍光結合材層３７の組み合わせを用いる場合には、青色一次光線Ｌ１の一部を吸収した黄色蛍光ファイバ３５または３６からの黄色二次光線Ｌ２と、黄色蛍光ファイバ３５または３６、黄色蛍光結合材層３７で吸収されない青色一次光線の一部を光透過性チューブ部材２０Ｔ（グローブ）から外部に取り出して、疑似白色照明光線を得る。
【０１６５】
紫外線、紫色光線からなる一次光線Ｌ１を発する紫外、紫色ＬＥＤ素子１０と、三原色（ＢＧＲ）蛍光体を含む三原色蛍光ファイバ３５または３６、三原色蛍光結合材層３７の組み合わせを用いる場合には、ほとんど全ての三原色一次光線Ｌ１を吸収した三原色蛍光ファイバ３５または３６、三原色蛍光結合材層３７からの三原色が混合した白色二次光線Ｌ２を光透過性チューブ部材２０Ｔ（グローブ）から外部に取り出して、白色照明光線を得る。
【０１６６】
線状ＬＥＤランプ６００は、通常の線状ＬＥＤランプと異なり、周知の線状蛍光ランプと同様に光透過性チューブ部材２０Ｔの全周面から照明光線を取り出すことができる線状ＬＥＤランプを、比較的に簡単な構成により提供できる。
【０１６７】
＜蛍光面積・容積拡大要素の他の具体例＞
【０１６８】
蛍光面積、蛍光容積を拡大、拡張、増大する「蛍光面積・容積拡大要素」としては、前述の蛍光ファイバ３５、３６に限定されず、次に記載する蛍光突起を用いることができる。
【０１６９】
蛍光突起の具体例を図１５、図１６に基づいて説明する。
【０１７０】
＜黄色蛍光突起３０−Ａ＞
【０１７１】
図１５は、黄色蛍光突起３０−Ａと青色光とを組み合わせた場合の光路を記入した蛍光突起３０−Ａを示す概略的な部分拡大断面図である。
【０１７２】
図１５に示す蛍光突起３０−Ａは、透明突起３０ａの表面に黄色蛍光膜３０ｂを形成したものである。
【０１７３】
黄色蛍光膜３０ｂは、黄色蛍光体粒子３０ｂ１を混入した透明バインダー３０ｂ２からなり、青色ＬＥＤからの青色光Ｌ１（Ｂ）の一部を吸収して黄色光Ｌ２（Ｙ）に変換する。
【０１７４】
黄色光Ｌ２（Ｙ）と、黄色蛍光膜３０ｂで吸収されずに黄色蛍光膜３０ｂを透過した青色光Ｌ１（Ｂ）とが、光透過性チューブ部材２０Ｔから外部に出射して黄色光Ｌ２（Ｙ）と青色光Ｌ１（Ｂ）の混色により疑似白色光ＷＬとなった白色照明光線が提供される。
【０１７５】
＜三原色蛍光突起３０−Ｂ＞
【０１７６】
図１６は、三原色蛍光突起３０−Ｂと近紫外光とを組み合わせた場合の光路を記入した蛍光突起３０−Ｂを示す概略的な部分拡大断面図である。
【０１７７】
図１６に示す蛍光突起３０−Ｂは、透明突起３０ａの表面に白色／三原色蛍光膜３０ｂを形成したものである。
【０１７８】
白色／三原色蛍光膜３０ｂは、白色／三原色蛍光体粒子３０ｂ１を混入した透明バインダー３０ｂ２からなり、紫外ＬＥＤからの近紫外光Ｌ１（ＵＶ）のほとんどを吸収して白色光Ｌ２（ＷＬ）に変換する。
【０１７９】
白色光Ｌ２（Ｗ）が光透過性チューブ部材２０Ｔから外部に出射して三原色（ＢＧＲ）が混色した白色光Ｌ２（ＷＬ）となった白色照明光線が提供される。
【０１８０】
白色／三原色蛍光膜３０ｂは、近紫外光Ｌ１（ＵＶ）が光透過性チューブ部材２０Ｔの外部に漏れ出るのを防ぐために、上記（図１５）に示す黄色蛍光膜３０ｂよりも蛍光体の含有率を増大して近紫外光Ｌ１（ＵＶ）のほとんどを吸収するようにするのが望ましい。
【０１８１】
その代わりに、図１６に示すように紫外線を吸収または反射し可視光線Ｌ２を良く透過する紫外遮蔽膜９９を光透過性チューブ部材２０Ｔの外面に形成するのが望ましい。
【０１８２】
周知の蛍光ランプ内で発生している真空紫外線は波長の短い強いエネルギーを有るが、この発明における近紫外ＬＥＤからの放射される近紫外線は真空紫外線と異なり波長のより長く、直視しない時には比較的に安全なものであり、この近紫外線のほとんど全てが蛍光突起３０−Ｂ３０の白色／三原色蛍光膜３０ｂおよび蛍光膜３１、３７で吸収されて可視光線に波長変換されるので、近紫外線が光透過性チューブ部材２０Ｔの外部に出射されることはほとんどないので、紫外遮蔽膜９９を設けることは必須ではない。
【０１８３】
万一、地震や輸送中の大きな振動または製造時のミスにより、白色／三原色蛍光膜３０ｂおよび蛍光膜３１、３７が光透過性チューブ部材２０Ｔ内に欠落する可能性もゼロとは断言できず、安全のために紫外遮蔽膜９９を設けることができる。
【０１８４】
この紫外遮蔽膜９９としては、（ａ）紫外応答形光触媒膜または（ｂ）ダイクロイック・ミラー膜が用いられる。
【０１８５】
（ａ）紫外応答形光触媒膜（酸化チタン膜）は、紫外線を吸収し可視光線Ｌ２を良く透過し、付着した有機物を分解して汚れを防止する光触媒効果を示し、光透過性チューブ部材２０Ｔを常時透明に維持し、掃除の手間を低減または省ける。
【０１８６】
（ｂ）ダイクロイック・ミラー膜は、紫外線を反射し可視光線Ｌ２を良く透過し、内部に向けて反射した紫外線Ｌ１は再び白色／三原色蛍光膜３０ｂに吸収されて白色光Ｌ２に変換されて光透過性チューブ部材２０Ｔから出射するので白色／三原色蛍光膜３０ｂの波長変換効率、白色光の取り出し効率が増大する。
【０１８７】
＜蛍光突起３０の各種の形状＞
【０１８８】
蛍光突起３０の各種の形状を、図１７、図１８、図１９に示す。
【０１８９】
図１７は、蛍光突起３０（３０−１’ないし３０−６’）を示す概略的な拡大斜視図である。
【０１９０】
図１８は、蛍光突起３０（３０−７’ないし３０−１０’）を示す概略的な拡大斜視図である。
【０１９１】
図１９は、蛍光突起３０（３０−１１’および３０−１２’）を示す概略的な拡大斜視図である。
【０１９２】
蛍光体を光透過性突起の表面または内部に有する蛍光突起３０は、図１７に示すように円錐台（３０−１’）、円柱（３０−２’）、半球（３０−３’）、四角柱（３０−４’）、四角錐（３０−６’）、円錐（３０−６’）、図１８に示すように  円錐台（３０−１’）、円柱（３０−２’）、半球（３０−３’）、四角柱（３０−４’）、四角錐（３０−５’）、円錐（３０−６’）、四角錐台（３０−７’）、三角錐（３０−８’）、六角柱（３０−９’）、上部がほぼ半球の円柱（３０−１０’）、図１９に示すように直線状壁部材（３０−１１’）、波形状壁部材（３０−１２’）のいずれか、またはそれらの任意の組み合わせからなることができる。
【０１９３】
＜蛍光突起の他の具体例＞
【０１９４】
図２０は、蛍光突起の他の具体例を示す部分拡大断面図である。
【０１９５】
図２０に示すように、複数の蛍光突起３０−１は光透過性チューブ部材２０Ｔの内面に立設して配置される。
【０１９６】
蛍光突起３０−１は、光透過性突起部材３０−１ａの内部に複数の蛍光体粒子３０−１ｂを分散して配置したものである。
【０１９７】
光透過性チューブ部材２０Ｔの内面に、蛍光突起３０−１が設けられていないほぼすべての領域に光透過性材料に上記蛍光体粒子３０−１ｂと同様な蛍光体粒子を分散した蛍光膜３１を形成するのが望ましい。その代わりに、光透過性チューブ２０Ｔの内面の全面に蛍光膜３１を形成し、蛍光膜３１上に蛍光突起３０−１を立設してもよい。
【０１９８】
蛍光突起は、図１５ないし図２０に示した形状を有する蛍光突起３０のいずれか、またはそれらの組み合わせに限定されず、既に説明した蛍光ファイバ３５、３６と蛍光突起３０の組合せとすることができる。
【０１９９】
この発明で用いられる蛍光面積・容積拡大要素として、蛍光突起３０（蛍光性凸部）の替わりに、その逆の形状の蛍光性溝（蛍光性凹部）を光透過性チューブ２０Ｔの内面に形成してもその効果は同等であり、また蛍光性凹凸部の両方を組み合わせたものでもよい。
【０２００】
上記蛍光突起は、蛍光膜を被覆する表面積を飛躍的に増大でき、その一具体例は次の通り。
【０２０１】
一例として、図１７における蛍光突起３０−４’において、蛍光突起の投影面積Ｓａに対する蛍光突起の表面積Ｓｂによる蛍光体としての表面積増加は次のように試算でき、５倍であることが解る。
【０２０２】
蛍光突起３０−４’は立方体とすると、蛍光突起の投影面積Ｓａ＝（一辺の長さＬ）ｘ（一辺の長さＬ）、蛍光突起の表面積Ｓｂ＝（一辺の長さＬ）ｘ（一辺の長さＬ）ｘ５、面積比率＝（蛍光突起の表面積Ｓｂ）／（蛍光突起の投影面積Ｓａ）＝５となる。ここでいう投影面積とは１個の立方体の底面積であり、光透過性チューブ２０Ｔの内面において１個の立方体が占有する面積である。
【０２０３】
＜蛍光突起の他の形態（蛍光体含有素子）＞
【０２０４】
蛍光突起の他の形態である蛍光体含有素子（蛍光面積・容積拡大要素）とその配置について図２１、図２２、図２３を参照して説明する。
【０２０５】
図２１（図２１Ａ、図２１Ｂ）は、蛍光体含有素子３４（３４Ａ、３４Ｂ）とその配置を示し、図２１Ａは概略的な拡大断面図、図２１Ｂは図２１Ａの矢ＡＲ１の矢印の方向から見た複数の蛍光体含有素子３４の配置を示す正面図である。
【０２０６】
図２２（図２２Ａ、図２２Ｂ）は、蛍光体含有素子３４（３４Ａ、３４Ｂ）の構成を示し、図２２Ａは蛍光体含有素子３４Ａを示す概略的な拡大断面図、図２２Ｂは他の蛍光体含有素子３４Ｂを示す概略的な拡大断面図である。
【０２０７】
図２３（図２３Ａ、図２３Ｂ）は、大小の蛍光体含有素子３４ａ、３４ｂとその配置を示し、図２３Ａは概略的な拡大断面図、図２３Ｂは図２３Ａの矢ＡＲ２の矢印の方向から見た複数の蛍光体含有素子３４の配置を示す正面図である。
【０２０８】
図２２に示すように、複数の蛍光体粒子３０ａを光透過性芯（コア）３０ｃの内部に配置または表面に配置して蛍光体含有素子とすることができる。
【０２０９】
図２２Ａに示すように、蛍光体を含む一つの形態の蛍光体含有素子３４Ａは、光透過性芯（コア）（光透過性粒子）３０ｃに複数の蛍光体粒子３０ａを分散して含有させたものである。
【０２１０】
図２２Ｂに示すように、他の形態の蛍光体含有素子３４Ｂは、複数の蛍光体粒子３０ａを、光透過性粒子からなる光透過性芯（コア）３０ｃの表面に膜状（層状）に被覆した蛍光体膜（蛍光体クラッド）３０ｄを形成して、光透過性粒子の表面に蛍光体を部分的または全面的に坦持したものである。
【０２１１】
図２１に示すように、複数の蛍光体含有素子３４（３４Ａ：図２２Ａ参照、３４Ｂ：（図２２Ｂ参照）を光透過性チューブ２０Ｔの内面に膜状（層状）に形成して、光透過性チューブ２０Ｔの内面に蛍光体膜３５を固着した蛍光体坦持チューブ２０Ｔとすることができる。
【０２１２】
光透過性芯（コア）（光透過性粒子）３０ｃに複数の蛍光体粒子３０ａを分散して含有させた蛍光体含有素子３４Ａまたは光透過性芯（コア）（光透過性コア）３０ｃの表面に蛍光体被覆（蛍光体クラッド）３０ｄを形成した蛍光体含有素子３４Ｂからなる蛍光体膜３５とすることにより、光透過性チューブ２０Ｔの内面に存在する蛍光体の表面積または容積が広くなり高輝度のＬＥＤランプを提供できる。
【０２１３】
蛍光体粒子３０ａの内部で光散乱を生じ、方向性をもたない無指向性の拡散光（散乱光線）として発せられ、直視しても眼に優しい特性が向上する。
【０２１４】
図２１Ａに示す蛍光体膜３５は、平均粒度がほぼ等しい複数の蛍光体含有素子３４からなり、図２１Ｂに示すように複数の蛍光体含有素子３４がほぼ等しい間隔、またはランダムな間隔で光透過性チューブ２０Ｔの内面に分布して配置されている。
【０２１５】
蛍光体含有素子３４（３４Ａ、３４Ｂ）を光透過性チューブ２０Ｔの内面に均一に存在させるには蛍光性粒子の流動性がよく形状が均一であることが望ましい。
【０２１６】
図２１Ａ、図２１Ｂに示すように、光透過性チューブ２０Ｔの内面に蛍光体粒子３０ａ、蛍光体含有素子３４（３４Ａ、３４Ｂ）の粒度がほぼ等しいか近似しているときには、隣接する複数の粒子の間に所定の微小な間隔が生じる。
【０２１７】
図２３Ａ、図２３Ｂに示すように、大きな粒径を有する大蛍光体含有素子３４ａと、小さな粒径を有する小蛍光体含有素子３４ｂからなる粒径の異なる蛍光体含有素子を光透過性チューブ２０Ｔの内面に固着することにより、光透過性チューブ２０Ｔの内面に蛍光体含有素子を高密度で分布して存在させることができる。
【０２１８】
図２３Ａ、図２３Ｂには、隣接する複数の大蛍光体含有素子３４ａの間に少なくとも一つの小蛍光体含有素子３４ｂを配置した一例が示されている。
【０２１９】
光透過性チューブ２０Ｔの内面に粒径の異なる蛍光体含有素子３４ａ、３４ｂを固着するためには、異なる蛍光体含有素子の混合体からなる蛍光体膜を同時に形成してもよく、一方の蛍光体含有素子からなる蛍光体膜を形成後に他方の蛍光体含有素子からなる蛍光体膜を形成してもよく、更に固着した蛍光体膜の上に粒子径の異なる蛍光体含有素子を固着してもよい。
【０２２０】
蛍光体含有素子３４（３４Ａ、３４Ｂ）は粒子ごとにまたは同一粒子に黄色蛍光体および青色蛍光体を含み、光透過性チューブ２０Ｔの内面に形成した複数の黄色蛍光体および複数の青色蛍光体からなる二種類の複数色の蛍光体含有素子からなる一層の蛍光体膜を形成することができる。
【０２２１】
その替わりに、黄色蛍光体を有する蛍光体含有素子３４（３４Ａ、３４Ｂ）からなる黄色蛍光体膜と、青色蛍光体を有する蛍光体含有素子３４（３４Ａ、３４Ｂ）からなる青色蛍光体膜を任意の順序で積層した二層形蛍光体膜としてもよい。
【０２２２】
紫外形発光ダイオード（ＬＥＤ）１０から放射する紫外光線の一部は黄色、青色混合蛍光体を有する粒子層または多層型蛍光体を有する粒子層の黄色および青色蛍光体に吸収され、黄色光線および青色光線に変換されて、光透過性チューブ２０Ｔ（または２０Ａ、２０Ｂ）を透過する。
【０２２３】
黄色、青色混合蛍光体を有する粒子層または多層型蛍光体を有する粒子層の青色蛍光体で変換された青色光線は、その一部が再び黄色蛍光体で黄色光線に変換され、またその一部が光透過性チューブ２０Ｔを透過する。
【０２２４】
光透過性チューブ２０Ｔを透過した黄色光線と青色光線は光透過性チューブ２０Ｔ（または２０Ａ）の外部に出射されて黄色光線と青色光線の混合したほぼ白色の擬似白色光線からなる照明光線となる。
【０２２５】
青色光線または紫色光線形発光ダイオードを発光ユニットとして用いた場合は、黄色蛍光体を有する粒子を光透過性チューブ２０Ｔの内面に固着する。
【０２２６】
蛍光体を有する粒子の蛍光体が青色、緑色および赤色の三原色蛍光体の場合は、紫外形発光ダイオード（ＬＥＤ）１０から放射する紫外光線はほぼすべてが三原色蛍光体を有する粒子層に吸収され、青色、緑色および赤色からなる三原色可視光線に変換されて、光透過性チューブ２０Ｔを透過し、三原色可視光線の混合した白色光線からなる照明光線となる。
【０２２７】
＜蛍光体含有素子の表面積＞
【０２２８】
例えば、図２２Ｂに示す蛍光突起である「蛍光体含有素子３４Ｂ」の表面積は次の通り。
【０２２９】
一例として、図２２Ｂに示す蛍光体含有素子３４Ｂにおいて、蛍光体含有素子の投影面積Ｓａに対する蛍光体含有素子の表面積Ｓｂによる蛍光体としての表面積増加は次のように試算でき、次に示すようにその表面積が４倍に増大することが解る。
【０２３０】
蛍光体含有素子３４Ｂは球とすると、蛍光体含有素子の投影面積Ｓａ＝（円周率ｐｉ）ｘ（直径ｄ）ｘ（直径ｄ）／４、蛍光体含有素子の表面積Ｓｂ＝（円周率ｐｉ）ｘ（直径ｄ）ｘ（直径ｄ）、面積比率＝（蛍光体含有素子の表面積Ｓｂ）／（蛍光体含有素子の投影面積Ｓａ）＝４となる。ここでいう投影面積とは１個の球の直径位置（赤道位置）での断面積であり、１個の球が占有する面積である。
【０２３１】
＜蛍光ファイバの配置構成と蛍光ファイバの変形＞
【０２３２】
図１ないし図９に示した蛍光ファイバ３５、３６は、光透過性（透光性）チューブ２０Ｔの内面に立設するように配列して配置しているが、蛍光ファイバ３５、３６の配置構成はこのような立設配列に限定されない。
【０２３３】
図２４（図２４Ａ、図２４Ｂ、図２４Ｃ）は、蛍光ファイバ３５、３６の各種の配置構成を示す概略的な部分断面図である。
【０２３４】
図２４Ａは、既に図１ないし図９を参照して記載した蛍光ファイバ３５、３６の各種の配置構成を示す。
【０２３５】
図２４Ａに示す「立設」配置では、透光性チューブ２０Ｔの内面に蛍光体含有接着層３７を介して蛍光ファイバ３５、３６が立設して配列、配置されている。
【０２３６】
図２４Ａ（図１ないし図９）に示す「立設」配置では、透光性チューブ２０Ｔの内面に蛍光体含有接着層３７を介して全ての蛍光ファイバ３５、３６が上記内面とほぼ垂直方向など上方向を向いて上記内面に立設して配列、配置されている。
【０２３７】
図２４Ｂに示す「ランダム」配置では、透光性チューブ２０Ｔの内面に蛍光体含有接着層３７を介して複数の蛍光ファイバ３５、３６が異なる方向を向いてランダムに配置されている。
【０２３８】
図２４Ｃに示す「水平」配置では、透光性チューブ２０Ｔの内面に蛍光体含有接着層３７を介して複数の蛍光ファイバ３５、３６がほぼ水平に一定方向を向いて配置されている。
【０２３９】
図２４Ｃに示す「水平」配置では、蛍光ファイバ３５、３６は、短いファイバでも透光性チューブ２０Ｔとほぼ同じ長さの長尺ファイバでもよい。
【０２４０】
＜蛍光ファイバの変形：  蛍光織布、蛍光不織布＞
【０２４１】
蛍光面積・容積拡大要素として、前述の蛍光ファイバ３５、３６を変形した蛍光織布、蛍光不織布を用いることができる。
【０２４２】
図２５（図２５Ａ、図２５Ｂ）は、蛍光織布、蛍光不織布を用いる実施例を示し、図２５Ａは蛍光織布（蛍光クロス）を示す部分断面図であり、図２５Ｂは蛍光不織布を示す部分断面図である。
【０２４３】
図２５Ａに示す蛍光織布は、それぞれ、光透過性ファイバの内部に蛍光体を含有した長い蛍光ファイバ３５（図８参照）を縦横に織った蛍光織布３７Ａ、または光透過性ファイバの側面に蛍光体を被覆した長い繊維の蛍光ファイバ３６（図９参照）を縦横など任意の織り方より織った蛍光織布３７Ｂである。
【０２４４】
図２５Ａに示すように、蛍光織布３７Ａ、蛍光織布３７Ｂは、蛍光体含有接着層３７を介して、または加熱溶着などにより接着層３７を介さずに直接、透光性チューブ２０Ｔの内面に沿って配置される。
【０２４５】
図２５Ｂに示す蛍光不織布３８Ａ、蛍光不織布３８Ｂは、それぞれ、光透過性ファイバの内部に蛍光体を含有した多数の短い蛍光ファイバ３５（図８参照）または光透過性ファイバの側面に蛍光体を被覆した短い繊維の多数の蛍光ファイバ３６（図９参照）を用いて周知の不織布製作法により得られる蛍光不織布である。
【０２４６】
図２５Ａに示すように、蛍光不織布３８Ａ、蛍光不織布３８Ｂは、蛍光体含有接着層３７を介して、または加熱溶着などにより接着層３７を介さずに直接、透光性チューブ２０Ｔの内面に沿って配置される。
【０２４７】
＜この発明の実施例  Ｎ０．２＞
【０２４８】
この実施例Ｎ０．２は、図１ないし図２５を参照して記載した前述の実施例Ｎ０．１の線状ＬＥＤランプ６００において、上記発光ユニットＬＵ−１０を変形したものであり、この実施例Ｎ０．２を図２６に基づいて説明する。
【０２４９】
図２６は、この実施例Ｎ０．２の発光ユニットＬＵ−２０と、その製法を示す概略的な斜視図である。
【０２５０】
この実施例Ｎ０．２は、前述の実施例Ｎ０．１の発光ユニットＬＵ−１０の替わりに、発光ユニットＬＵ−２０を用いている点のみが異なり、その他の点は実施例Ｎ０．１と同一であるので、ここでは主に異なる点を記載し、その他の点は省略する。
【０２５１】
図２６に示すように、発光ユニットＬＵ−２０は、例えばポリイミド樹脂シートまたは薄く軟質とした薄いガラス・エポキシ樹脂基板などのフレキシブル絶縁基板の表面に導電性給電パターンを形成した矩形のフレキシブル回路基板１１Ｂと、回路基板１１Ｂの上に複数のＬＥＤ  １０を実装したＬＥＤアレイ  １０Ｂからなる。
【０２５２】
図２６に示すように、矩形のフレキシブル回路基板１１Ｂは、高い熱伝導性を有する六角形支柱５２０の六つの長尺表面５２０ａを総計した面積を有する。
【０２５３】
フレキシブル回路基板１１Ｂは、折曲方向ＢＤに折曲予定線ＢＬごとに順次、支柱５２０の表面５２０ａに密に巻き付けられる
【０２５４】
支柱表面５２０ａまたはフレキシブル回路基板１１Ｂの裏面に予め高い熱伝導性を有する接着剤を塗布しておくことにより、フレキシブル回路基板１１Ｂ、ＬＥＤアレイ  １０Ｂ（１０Ｂ−１，１０Ｂ−２，−−−−，１０Ｂ−５，１０Ｂ−６）を、支柱表面５２０ａに固定することができる。
【０２５５】
＜この発明の実施例  Ｎ０．３＞
【０２５６】
この実施例Ｎ０．３は、図１ないし図２５を参照して記載した前述の実施例Ｎ０．１の線状ＬＥＤランプ６００において、上記発光ユニットＬＵ−１０を変形したものであり、この実施例Ｎ０．３を図２７に基づいて説明する。
【０２５７】
図２７は、この実施例Ｎ０．３の発光ユニットＬＵ−３０と、その製法を示す概略的な斜視図である。
【０２５８】
この実施例Ｎ０．３は、前述の実施例Ｎ０．１の発光ユニットＬＵ−１０の替わりに、発光ユニットＬＵ−３０を用いている点のみが異なり、その他の点は実施例Ｎ０．１と同一であるので、ここでは主に異なる点を記載し、その他の点は省略する。
【０２５９】
図２７はこの実施例の発光ユニットＬＵ−３０を示し、図２７Ａは発光ユニットＬＵ−３０を示す概略的な斜視図であり、図２７Ｂは図２７ＡのＲ−Ｒ’線に沿って切断した概略的な拡大断面図である。
【０２６０】
図２７Ａ、図２７Ｂに示すように、発光ユニットＬＵ−３０は、絶縁性を有する多角中空支柱５２０Ａａと、支柱５２０Ａａの複数の長尺表面に直接形成された導電性給電配線パターン５２０Ａｂからなる多角回路基板５２０Ａと、多角回路基板５２０Ａの長尺表面に実装された複数のＬＥＤ  １０からなる。
【０２６１】
絶縁性を有する多角中空支柱５２０Ａａとしては、高熱伝導性セラミック単体、または熱伝導性セラミック粒子、繊維などの高熱伝導性および絶縁性素子を含有した任意の絶縁樹脂を用いるのが望ましい。
【０２６２】
上記高熱伝導性および絶縁性素子として、銅、アルミニュウム、カーボンなどの高熱伝導性を有する導電粒子、繊維に絶縁被覆を施したものを用いることもできる。
【０２６３】
その代わりにも多角中空支柱５２０Ａａとして、鉄、アルミニュウムなど高熱伝導性金属を用い、例えば鉄製支柱の外表面にガラス絶縁被覆層を形成したもの、アルミニュウム製支柱の外表面に陽極酸化処理をした酸化アルミニュウム絶縁被覆層を形成したものなど、絶縁化支柱を使用してもよい。
【０２６４】
この実施例では、高熱伝導性かつ絶縁性を有する支柱５２０Ａａの複数の長尺表面に直接、導電性給電配線パターン５２０Ａｂを形成して、回路基板および支柱としているので、ＬＥＤ  １０からの発熱を直接的に支柱５２０Ａａへ効率よく伝達、放熱することができる。
【０２６５】
絶縁性支柱５２０Ａａの複数の絶縁性長尺表面に導電性給電配線パターン５２０Ａｂを形成する方法は、例えば、ａ）上記表面に銅、アルミニュウムなどの導電層を形成後に選択的に給電配線パターン５２０Ａｂを残すように、上記導電層をエッチングまたは高熱レーザービームにより選択的に除去するか、ｂ）給電配線パターン５２０Ａｂを有する転写フィルムを上記表面に加熱加圧して給電配線パターン５２０Ａｂを転写する上記表面に転写固定するか、ｃ）給電配線パターン５２０Ａｂに対応したメッキ触媒インクを上記表面に印刷後に導電メッキ層を設けるなどである。
【０２６６】
その替わりに、例えばフィルム転写法、２色成形法などによる立体回路基板の射出成形法（例えば特開２００５−２８５８４１号公報、「３次元立体回路基板の製造方法、及び、その製造方法を用いて製造した３次元立体回路基板」を参照）により、多角回路基板５２０Ａを製造することができる。
【０２６７】
＜この発明の実施例  Ｎ０．４＞
【０２６８】
この実施例Ｎ０．４は、図１ないし図２５を参照して記載した前述の実施例Ｎ０．１の線状ＬＥＤランプ６００において、上記発光ユニットＬＵ−１０を変形したものであり、この実施例Ｎ０．４を図２８に基づいて説明する。
【０２６９】
この実施例Ｎ０．４は、前述の実施例Ｎ０．１の発光ユニットＬＵ−１０の替わりに、発光ユニットＬＵ−４０を用いている点のみが異なり、その他の点は実施例Ｎ０．１と同一であるので、ここでは主に異なる点を記載し、その他の点は省略する。
【０２７０】
図２８はこの実施例Ｎ０．４の発光ユニットＬＵ−４０を示す概略的な斜視図である。
【０２７１】
図２８に示すように、発光ユニットＬＵ−４０は、例えば図１ないし図４に示したＬＥＤアレイ１０Ａと同じ給電配線パターンを表面に形成した複数の直線状（帯状）の長尺回路基板１１Ａと回路基板１１Ａの表面に実装された複数のＬＥＤ  １０からなる複数のＬＥＤアレイ１０Ａと、少なくとも両方のＬＥＤアレイ１０Ａの端末に固定して配置された短尺多角支柱５２０Ｂからなり、複数のＬＥＤアレイ１０Ａは少なくともその両端において一対の短尺多角支柱５２０Ｂによって支持される。
【０２７２】
長尺回路基板１１Ａは、ガラス・エポキシ樹脂などの硬質基板または硬質基板の裏面にヒートシンク層を設けるのが望ましく、このヒートシンク層としては、例えば、ａ）アルミニュウム、銅などの熱伝導金属箔、シート、ｂ）  熱伝導金属粒子、繊維、熱伝導性セラミック粒子、繊維などからなる熱伝導性フィラーを含む熱伝導性樹脂層、ｃ）カーボンなど熱伝導繊維から熱伝導性織布、不織布などが挙げられる。
【０２７３】
図２８に示すように、隣接する長尺回路基板１１Ａ同士が所定間隔を離隔しているので、ＬＥＤアレイ１０ＡのＬＥＤ１０から発生する熱は、回路基板１１Ａの裏面から裏面側の空気に放熱され、この暖まった空気は所定間隔から回路基板１１Ａの表面側（光透過性チューブ２０ＴとＬＥＤ１０上面の間）の比較的に低温の空気に伝達されて、ＬＥＤ１０の昇温は緩和され、ＬＥＤ１０の発光効率の低下の抑制がはかられる。
【０２７４】
＜スペーサーの変形（１）＞  
【０２７５】
実施例ＮＯ．１の線状ＬＥＤランプ６００において、上記スペーサー５３０は以下に記載するスペーサー５３０のように変形してもよい。
【０２７６】
図２９（図２９Ａ、図２９Ｂ）は、上記スペーサー５３０の変形（１）のスペーサー５３１を示し、図２９Ａはスペーサー５３１を示す概略的な斜視図であり、図２９Ｂはスペーサー５３１を示す概略的な断面図である。
【０２７７】
図２９Ａ、図２９Ｂに示すように、スペーサー５３１は、少なくとも３個の所定の長さの腕状部材からなり、その一端が接着材、溶着材などの結合部５３１ａを介して、多角形支柱５２０の両端のそれぞれの少なくとも３表面に固定されて突出し、その他端が透光性チューブ２０Ｔの内面に密接する。
【０２７８】
実施例ＮＯ．１のスペーサー５３０と同様に、スペーサー５３１は、ＬＥＤ発光ユニットＬＵ−１０を透光性チューブ２０Ｔの中空空洞のほぼ中心軸に沿って保持し、ＬＥＤ発光ユニットＬＵ−１０と透光性チューブ２０Ｔの内面の間隔を所定距離に維持する。
【０２７９】
スペーサー５３１は、多角形支柱５２０と同様な上記熱伝導性金属または上記高熱伝導性樹脂からなる高熱伝導性材料であってもよい。
【０２８０】
スペーサー５３１は、高熱伝導性を有する金属、合金または高熱伝導性フィラーを含む樹脂、高熱伝導性フィラーを含むシリコーンなどの高熱伝導性ゴムまたはエラストマーからなる高熱伝導性弾性部材であってもよい。
【０２８１】
高熱伝導性弾性部材からなるスペーサー５３１の先端と透光性チューブ２０Ｔの内面とを弾性接触させることにより、高熱伝導性中空支柱５２０は高熱伝導性結合部５３１ａとスペーサー５３１と透光性チューブ２０Ｔとが高熱伝導結合される。
【０２８２】
それにより、発光ユニットＬＵ−１０のＬＥＤ１０からの発熱が高熱伝導性中空支柱５２０、スペーサー５３１を経由して透光性チューブ２０Ｔに伝達されその外面から空気中に放熱される。
【０２８３】
＜スペーサーの変形（２）＞  
【０２８４】
実施例ＮＯ．１のスペーサー５３０の変形（２）を、図３０に基づいて説明する。
【０２８５】
図３０（図３０Ａ、図３０Ｂ）は、上記スペーサー５３０変形（２）のスペーサー５３２を示し、図３０Ａはスペーサー５３２を示す概略的な断面図であり、図３０Ｂはスペーサー５３２を示す概略的な斜視図である。
【０２８６】
図３０Ａ、図３０Ｂに示すように、スペーサー５３２は、多角形支柱５２０の多角形外面と相似の多角形連通穴を有し多角形支柱５２０を密に挿入できる中空管状部材からなり、一端面が口金５１０の内面に一端面が固定される。
【０２８７】
スペーサー５３２は、高熱伝導性を有する金属、合金または高熱伝導性フィラーを含む樹脂、高熱伝導性フィラーを含むシリコーンなどの高熱伝導性ゴムまたはエラストマーからなる高熱伝導性弾性部材であってもよい。
【０２８８】
多角形支柱５２０およびスペーサー５３２が高熱伝導性材料からなり、更に口金５１０が高熱伝導性金属、合金または高熱伝導性樹脂、エラストマーなどの高熱伝導性材料からなる場合には、発光ユニットＬＵ−１０のＬＥＤ１０からの発熱が、中空支柱５２０、スペーサー５３０を経由して口金５１０に伝達され口金５１０の外面から空気中に放熱される。
【０２８９】
＜実施例Ｎ０．５：  線状ＬＥＤランプ６１０  ＞
【０２９０】
この実施例Ｎ０．５は、前述の実施例Ｎ０．１の発光ユニットＬＵ−１０の替わりに、発光ユニットＬＵ−５０を用いている点が異なり、その他の点は実施例Ｎ０．１と同一であるので、ここでは主に異なる点を記載し、その他の点は省略する。
【０２９１】
同一の構成要素については同一の参照符号を付してあるので、説明を省略した個所については、前述の実施例Ｎ０．１（特に図１０）を参照されたい。
【０２９２】
図３１、図３２を参照して、実施例Ｎ０．５の線状ＬＥＤランプ６１０について記載する。
【０２９３】
図３１（図３１Ａ、図３１Ｂ）は、線状ＬＥＤランプ６１０を示し、図３１Ａは概略的な斜視図、図３１Ｂは概略的な断面図である。
【０２９４】
図３２（図３２Ａ、図３２Ｂ）は、スペーサー５３３を示し、図３１Ａは概略的な斜視図、図３１Ｂは概略的な断面図である。
【０２９５】
図３１Ａ、図３１Ｂに示すように、線状ＬＥＤランプ６１０は、内面に複数の蛍光ファイバ３５または３６を設けた直管円筒形など管状の光透過性（透光性）部材からなる中空な透光性チューブ２０Ｔと、三角形の長尺支柱５２０Ｃとその複数の長尺表面に配置された複数の短波長形ＬＥＤ素子１０を長尺な回路基板１１Ａのそれぞれの表面にＬＥＤ１０を実装した複数のＬＥＤアレイ（ＬＥＤ配列体）１０ＡからなるＬＥＤ発光ユニットＬＵ−５０からなる。
【０２９６】
図３２Ａ、図３２Ｂに示すように、スペーサー５３３は、三角形支柱５３３Ｃの外形よりわずかに大きな三角形の内部空洞５３３ｃを有する円盤などからなる本体５３３ａと本体５３３ａの外周から突出した少なくとも３個の所定の長さの腕部５３３ｂからなる。
【０２９７】
図３２Ｂに示すように、スペーサー５３３は、少なくとも長尺多角形支柱５３３の両端に密に挿入して設けられ、三角形支柱５３３に固定して配置され、腕部５３３ｂはその本体５３３ａから透光性チューブ２０Ｔの内面まで伸びている。
【０２９８】
それによりスペーサー５３３は、三角形支柱５２０、ＬＥＤ発光ユニットＬＵ−１０をチューブ部材２０Ｔの中空空洞のほぼ中心軸に沿って保持し、ＬＥＤ発光ユニットＬＵ−１０とチューブ部材２０Ｔの内面の間隔を所定距離に保持する。
【０２９９】
＜実施例Ｎ０．６：  線状ＬＥＤランプ６２０  ＞
【０３００】
この実施例Ｎ０．６は、前述の実施例Ｎ０．１の発光ユニットＬＵ−１０の替わりに、発光ユニットＬＵ−６０を用いている点が異なり、その他の点は実施例Ｎ０．１と同一であるので、ここでは主に異なる点を記載し、その他の点は省略する。
【０３０１】
同一の構成要素については同一の参照符号を付してあるので、説明を省略した個所については、前述の実施例Ｎ０．１（特に図１０）を参照されたい。
【０３０２】
図３３を参照して、実施例Ｎ０．６の線状ＬＥＤランプ６２０について記載する。
【０３０３】
図３３（図３３Ａ、図３３Ｂ）は、線状ＬＥＤランプ６２０を示し、図３３Ａは概略的な斜視図、図３３Ｂは概略的な断面図である。
【０３０４】
図３３Ａ、図３３Ｂに示すように、線状ＬＥＤランプ６２０は、内面に複数の蛍光ファイバ３５または３６を設けた直管円筒形など管状の光透過性（透光性）部材からなる中空な透光性チューブ２０Ｔと、四角形の長尺支柱５２０Ｃとその複数の長尺表面に配置された複数の短波長形ＬＥＤ素子１０を長尺な回路基板１１Ａのそれぞれの表面にＬＥＤ１０を実装した複数のＬＥＤアレイ（ＬＥＤ配列体）１０ＡからなるＬＥＤ発光ユニットＬＵ−６０からなる。
【０３０５】
＜実施例Ｎ０．７：  線状ＬＥＤランプ６３０  ＞
【０３０６】
この実施例Ｎ０．７は、前述の実施例Ｎ０．１の発光ユニットＬＵ−１０の替わりに、発光ユニットＬＵ−６０を用いている点が異なり、その他の点は実施例Ｎ０．１と同一であるので、ここでは主に異なる点を記載し、その他の点は省略する。
【０３０７】
同一の構成要素については同一の参照符号を付してあるので、説明を省略した個所については、前述の実施例Ｎ０．１（特に図１０）を参照されたい。
【０３０８】
図３４を参照して、実施例Ｎ０．７の線状ＬＥＤランプ６３０について記載する。
【０３０９】
図３４（図３４Ａ、図３４Ｂ）は、実施例Ｎ０．７の線状ＬＥＤランプ６３０を示し、図３４Ａは概略的な斜視図、図３４Ｂは概略的な断面図である。
【０３１０】
図３４Ａ、図３４Ｂに示すように、線状ＬＥＤランプ６３０は、内面に複数の蛍光ファイバ３５または３６を設けた直管円筒形など管状の光透過性（透光性）部材からなる中空な透光性チューブ２０Ｔと、長尺支柱５２０Ｃとその複数の長尺表面に配置された複数の短波長形ＬＥＤ素子１０を長尺な回路基板１１Ａのそれぞれの表面にＬＥＤ１０を実装した複数のＬＥＤアレイ（ＬＥＤ配列体）１０ＡからなるＬＥＤ発光ユニットＬＵ−７０からなる。
【０３１１】
この実施例Ｎ０．７では、前述の実施例Ｎ０．１と異なり、円柱形などの長尺支柱５２０Ｅの周面に三個など複数の長尺なスリット溝５２０Ｅａが形成され、これらのスリット溝５２０Ｅａに、三個など複数の長尺な回路基板１１Ａに複数のＬＥＤ  １０を実装したＬＥＤアレイ１０Ａの一部分が挿入され配置固定されている。
【０３１２】
図３４Ａ、図３４Ｂに示すように、複数の長尺なＬＥＤアレイ１０Ａが長尺支柱５２０Ｅから羽形の形状に広がって透光性チューブ２０Ｔの内面に向かって延長しており、隣り合う長尺支柱５２０Ｅの間の角度はほぼ等しい。
【０３１３】
それにより、ＬＥＤ  １０から放射される短波長一次光線Ｌ１は多くの透光性チューブ２０Ｔの内面に配置された複数の蛍光ファイバ３５、３６に比較的に均一に照射し、蛍光ファイバ３５、３６は短波長一次光線Ｌ１を受光して可視二次光線Ｌ２を放射して透光性チューブ２０Ｔの外部に出射する。
【０３１４】
ＬＥＤ  １０は、出射一次光線Ｌ１が広い指向角（照射角度）を有するものを用いるのが望ましく、または更に後述する広角レンズなどの指向角拡大手段を追加するのが望ましい。
【０３１５】
＜この発明の実施例ＮＯ．８：線状ＬＥＤランプ＞  
この発明の実施例ＮＯ．８を、図３５ないし図４５に基づいて説明する。
【０３１６】
この実施例ＮＯ．８において、前述の複数の実施例と同様な箇所の記述はできるだけ省略する。（同一箇所には同一な参照符号を付してある。）
【０３１７】
図３５は、ＮＯ．８の線状ＬＥＤランプ７００を示す概略的な斜視図である。
【０３１８】
図３６は、線状ＬＥＤランプ７００における発光ユニットＬＵ−１００を示す概略的な斜視図である。
【０３１９】
図３７は、発光ユニットＬＵ−１００を構成する一つの発光セグメント１００−ｎを示す概略的な拡大斜視図である。
【０３２０】
図３８は、発光セグメント１００−ｎの電気的回路を示す概略的な拡大斜視図である。
【０３２１】
図３９は、発光ユニットＬＵ−１００を示す概略的な側面図である。
【０３２２】
図４０は、図３５のＫ−Ｋ’線に沿って切断した線状ＬＥＤランプ７００の概略的な断面図である。
【０３２３】
図４１は、図３６の矢印Ｑの方向から見た線状ＬＥＤランプ７００を示す概略的な断面図である。
【０３２４】
図４２は、発光ユニットＬＵ−１００の電気的回路図である。
【０３２５】
図４３は、発光ユニットＬＵ−１００の他の電気的回路図である。
【０３２６】
図４４は、発光ユニットＬＵ−１００に使用する基板１１Ｃを示し、図４４Ａは基板１１Ｃを帯状に展開した時の概略的な正面図、図４４Ｂは基板１１Ｃの一部を拡大して示す断面図、図４４Ｃは基板１１Ｃの他の一部を拡大して示す断面図である。
【０３２７】
図４５は、帯状に展開した時の基板１１Ｃに複数のＬＥＤ１０を実装した発光ユニットＬＵ−１００の概略的な正面図である。
【０３２８】
図３５ないし図４５に示すように、線状ＬＥＤランプ７００は、内面に複数の蛍光ファイバ３５または３６を設けた直管状光透過性部材からなる光透過性中空チューブ部材２０Ｔと、光透過性中空チューブ部材２０Ｔの軸に沿って延長して配置され螺旋形からなり立体的に構成された回路基板１１Ｃに複数のＬＥＤ素子１０を実装した発光ユニットＬＵ−１００からなる。
【０３２９】
この実施例ＮＯ．８では、回路基板１１Ｃの前面に複数のＬＥＤ素子１０を実装しているが、回路基板１１Ｃの裏面または両面に複数のＬＥＤ素子１０を実装してもよい。
【０３３０】
図３５、図４０に示すように、線状ＬＥＤランプ７００は、中空チューブ部材２０Ｔの両端にそれらの開口を塞ぐように本体５１０ａと導電接続ピン５１０ｂからなるキャップ状の口金５１０が配置されている。
【０３３１】
口金５１０の内面に中央に突起５３０ｂを有する円盤５３０ａからなるスペーサー５３０が固定され、一対の突起５３０ｂは螺旋形に延在する発光ユニットＬＵ−１００の両端に固定され、スペーサー５３０により発光ユニットＬＵ−１００は中空チューブ部材２０Ｔの中心軸に沿って保持、配置される。
【０３３２】
図３６、図３９に示すように発光ユニットＬＵ−１００は、複数の発光セグメント１００−ｎ（ｎ＝１，２，−−−，ｎ）を横方向に連結して全体的に実質的に線状としたものである。
【０３３３】
図３７、図３８に示すように一つの発光セグメント１００−ｎは、表面に給電用配線１１Ｄを有し、４個など複数のＬＥＤ素子１０を実装した基板１１Ｃを折部ＢＬに沿って図３７示のように折り曲げて螺旋状立体に構成する。
【０３３４】
図３８、図４１に示すように複数のＬＥＤ素子１０は、螺旋状立体の異なる方向に位置する複数の表面に実装されているので、給電線１１Ｄに直流電源（点灯回路）４０に接続すると瞬時に点灯し、青色光線、紫色光線、近紫外線などの短波長一次光線Ｌ１は、異なる複数の方向を指向して放射され、したがって一次光線Ｌ１は円筒形中空チューブ１０Ｔの内面に配置された蛍光ファイバ３５、３６および蛍光膜３７を励起することができる。
【０３３５】
図４１に示すように、ＬＥＤ素子１０の光出射面に指向角の狭い出射光線を拡大し広い照射角度を得られる広角レンズ７０１を固定して配置するか、または最初から広角レンズ７０１を設けたＬＥＤ素子１０を用いるのが望ましく、それにより円筒形中空チューブ１０Ｔの全内面に配置された蛍光ファイバ３５、３６および蛍光膜（蛍光層）３７の全てをＬＥＤ素子１０からの一次光線Ｌ１により照射して励起し、可視二次光線Ｌ２に変換できる。
【０３３６】
図４１に示すように、広角レンズ７０１として底面７０１ｃと側面７０１ｂと逆円錐形の頂面７０１ａを有する逆円錐レンズを用いることができる。
【０３３７】
図４２、図４３は、発光ユニットＬＵ−１００の電気的回路図を例示したもので、全ての発光セグメント１００−ｎ（ｎ＝１，２，−−−，ｎ）におけるＬＥＤ素子１０が直列接続されている。
【０３３８】
図４２に示した発光ユニットＬＵ−１００は、その右端において給電配線１１Ｄを短絡部１１Ｅによって短絡し、左端の二本の給電配線１１Ｄを直流点灯回路４０と接続し、図４３に示した発光ユニットＬＵ−１００は、その右端における給電配線１１Ｄとその左端における給電配線１１Ｄを直流点灯回路４０と接続している。
【０３３９】
図４４Ａ、図４４Ｂに示すように、帯状の絶縁基板１１Ｃは、その表面にその長さ方向に連続的に延びる共通な銅などの高導電性を有する導電箔、膜からなり給電用配線１１ＤとＬＥＤ実装部ＭＰを除いて断続的に延びる給電用配線１１Ｄ（導電箔、膜）を形成したものであり、所定の傾斜角度ＢＡの折曲予定線（鎖線）ＢＬを有する。
【０３４０】
図４４Ｂ、図４５に示すように、絶縁基板１１Ｃは、少なくとも折曲予定線（鎖線）ＢＬに沿って折り曲げ可能であり、絶縁基板１１Ｃにおける断続的に延びる給電用配線１１Ｄ（導電箔、膜）の両端上に、ＬＥＤ素子１０の受電端子（アノード端子およびカソード端子）と対応して更に電極（導電膜、予備半田膜）１１Ｄ−１を形成するのが望ましい。
【０３４１】
次に、図４４、図４５に示すように、ＬＥＤ素子１０を絶縁基板１１Ｃの表面のＬＥＤ実装部ＭＰに搭載し、半田、導電接着材などの接続手段により、ＬＥＤ素子１０の受電端子と給電用配線１１Ｄの電極（導電膜、予備半田膜）１１Ｄ−１とを電気的、機械的に接続して、複数のＬＥＤ素子１０を帯状絶縁基板１１Ｃに所定間隔を保って長さ方向に実装する。
【０３４２】
帯状絶縁基板１１Ｃとして、折り曲げた後に自己支持機能を持たないフレキシブル基板を用いるときに、発光ユニットＬＵ−１００に螺旋状立体の形状を自己支持できる手段の一例を次に記載する。
【０３４３】
例えば、フッ素樹脂膜などからなる離型性の良い表面を有する長尺多角柱を用意し、その表面にエポキシ樹脂などの未硬化の硬化性樹脂層を設けて、その表面に複数のＬＥＤ素子１０を実装した帯状絶縁基板１１Ｃを折曲予定線（鎖線）ＢＬに沿って螺旋状に巻き付け、その後に硬化性樹脂層を硬化させ硬化性樹脂層を帯状絶縁基板１１Ｃの裏面に形成し、加熱などの硬化条件を付与し、長尺多角柱を引き抜くことにより、裏面に硬質な樹脂層を形成し螺旋状立体の形状を自己支持できる発光ユニットＬＵ−１００を得ることができる。
【０３４４】
＜この発明の実施例ＮＯ．９：線状ＬＥＤランプ７１０＞  
【０３４５】
この発明の実施例ＮＯ．９を、図４６に基づいて説明する。
【０３４６】
この実施例ＮＯ．９の線状ＬＥＤランプ７１０は、図３５ないし図４５を参照した前述の線状ＬＥＤランプ７００の一変形であり、ここでは主としてＬＥＤランプ７００と異なる点を説明する。
【０３４７】
図４６は、実施例ＮＯ．９線状ＬＥＤランプ７００を示す概略的な斜視図である。
【０３４８】
図４６に示すように、実施例ＮＯ．９の線状ＬＥＤランプ７１０は、前述のＬＥＤランプ７００と同様に、内面に複数の蛍光ファイバ３５または３６、および蛍光膜３７を設けた直管状光透過性部材からなる中空透光性チューブ２０Ｔと、光透過性中空透光性チューブ２０Ｔの軸に沿って延長して配置され螺旋形からなり立体的に構成された回路基板１１Ｃに複数のＬＥＤ素子１０を実装した発光ユニットＬＵ−１００からなる。
【０３４９】
発光ユニットＬＵ−１００は、前述のＬＥＤランプ７００と同様に、複数の発光セグメント１００−ｎ（ｎ＝１，２，−−−，ｎ）を横方向に連結して全体的に実質的に線状としたものである。
【０３５０】
発光ユニットＬＵ−１００は、前述のＬＥＤランプ７００と同様に、直線状（帯状）のフレキシブル絶縁基板の表面に給電パターンを形成し、複数のＬＥＤ素子１０を実装したものである。
【０３５１】
図４６に示すように、この実施例では、前述のＬＥＤランプ７００と異なり、複数の表面を有する長尺の多角支柱５２０Ｄを用いる。
【０３５２】
長尺の多角支柱５２０Ｄの表面またはフレキシブル絶縁基板の裏面に予め高い熱伝導性を有する接着材層を形成しておき、変形後に自己支持性を有さない柔軟性のある発光ユニットＬＵ−１００のフレキシブル絶縁基板をその複数の表面に沿って螺旋状に折り曲げて、フレキシブル絶縁基板を長尺の多角支柱５２０Ｄの表面に密に巻き付ける。
【０３５３】
それにより螺旋状に変形した発光ユニットＬＵ−１００は、長尺の多角支柱５２０Ｄに恒久的に接着、固定され、発光ユニットＬＵ−１００は螺旋状に変形した形態を保持できる。
【０３５４】
長尺の多角支柱５２０Ｄは、高熱伝導性を有する金属、または高熱伝導性を有する高熱伝導性フィラーを含有した任意の熱可塑性または硬化性樹脂からなる中空の多角支柱からなるのが望ましい。
【０３５５】
これにより螺旋形状の発光ユニットＬＵ−１００のＬＥＤ１０から発生する熱は、発光ユニットＬＵ−１００と熱接触する高熱伝導性の多角支柱５２０Ｄに伝達される。次いで、その発熱は、多角支柱５２０Ｄの中空側内面から放熱、熱拡散することができ、また発光ユニットＬＵ−１００が巻き付けられていない多角支柱５２０Ｄの露出領域（隣接する発光ユニットＬＵ−１００の間隔）の外面、中空側内面とから放熱、熱拡散することができる。
【０３５６】
＜この発明の実施例ＮＯ．１０：線状ＬＥＤランプ７２０＞  
【０３５７】
この発明の実施例ＮＯ．１０を、図４７に基づいて説明する。
【０３５８】
この実施例ＮＯ．１０の線状ＬＥＤランプ７２０は、前述の線状ＬＥＤランプ７００、７１０の一変形であり、ここでは主としてＬＥＤランプ７００、７１０と異なる点を説明する。  
【０３５９】
図４７は、実施例ＮＯ．１０の線状ＬＥＤランプ７２０を示す概略的な斜視図である。
【０３６０】
図４７に示すように、線状ＬＥＤランプ７２０は、前述のＬＥＤランプ７００、７１０と同様に、内面に複数の蛍光ファイバ３５または３６、および蛍光膜３７を設けた直管状光透過性部材からなる中空透光性チューブ２０Ｔと、透光性チューブ２０Ｔの軸に沿って延長して配置され螺旋形からなり立体的に構成された回路基板１１Ｃに複数のＬＥＤ素子１０を実装した発光ユニットＬＵ−１００からなる。
【０３６１】
発光ユニットＬＵ−１００は、前述のＬＥＤランプ７００、７１０と同様に、複数の発光セグメント１００−ｎ（ｎ＝１，２，−−−，ｎ）を横方向に連結して全体的に実質的に線状としたものである。
【０３６２】
発光ユニットＬＵ−１００は、前述のＬＥＤランプ７００、７１０と同様に、前述のＬＥＤランプ７００、７１０と同様に、直線状（帯状）のフレキシブル絶縁基板の表面に給電パターンを形成し、複数のＬＥＤ素子１０を実装したものである。
【０３６３】
図４７に示すように、この実施例では、前述のＬＥＤランプ７００、７１０と異なり、骨組形支柱５２０Ｇを用い、骨組形支柱５２０Ｇは四本など（複数）の長尺線状体５２０−１、５２０−２、５２０−３、５２０−４を仮想の輪郭線が多角形になるように束ねて両端末のＸ字形などの固定具５２０−５により固定したものである。
【０３６４】
骨組形支柱５２０Ｇの表面またはフレキシブル絶縁基板の裏面に予め高い熱伝導性を有する接着材層を形成しておき、変形後に自己支持性を有さない柔軟性のある発光ユニットＬＵ−１００のフレキシブル絶縁基板をその複数の表面に沿って螺旋状に折り曲げて、フレキシブル絶縁基板を骨組形支柱５２０Ｇの表面に密に巻き付ける。
【０３６５】
それにより螺旋状に変形した発光ユニットＬＵ−１００は、骨組形支柱５２０Ｇに恒久的に接着、固定され、発光ユニットＬＵ−１００は螺旋状に変形した形態を保持できる。
【０３６６】
骨組形支柱５２０Ｇの長尺線状体５２０Ｇ−１、５２０Ｇ−２、５２０Ｇ−３、５２０Ｇ−４、固定具５２０Ｇ−５は、高熱伝導性を有する金属線など高熱伝導性材料からなるのが望ましく、これにより発光ユニットＬＵ−１００のＬＥＤ１０から発生する熱を高熱伝導性の骨組形支柱５２０Ｇの長尺線状体５２０Ｇ−１、５２０Ｇ−２、５２０Ｇ−３、５２０Ｇ−４に伝達、放熱することができる。
【０３６７】
この実施例では、発光ユニットＬＵ−１００は、骨組形支柱５２０Ｇの長尺線状体５２０Ｇ−１、５２０Ｇ−２、５２０Ｇ−３、５２０Ｇ−４と線接続し、上記長尺線状体の間に間隔があるので、発光ユニットＬＵ−１００の裏面は、上記長尺線状体の個所を除いてチューブ部材２０Ｔの空間に露出するために、発光ユニットＬＵ−１００のＬＥＤ素子１０から発生する熱は絶縁基板の裏面からチューブ部材２０Ｔの空間にも伝達、放熱される。
【０３６８】
＜この発明の実施例ＮＯ．１１：線状ＬＥＤランプ７３０＞
【０３６９】
この発明の実施例ＮＯ．１１を、図４８ないし図５１に基づいて説明する。
【０３７０】
この実施例ＮＯ．１１において、前述の複数の実施例と同様な箇所の記述はできるだけ省略する。（同一箇所には同一な参照符号を付してある。）
【０３７１】
図４８は、実施例ＮＯ．１１の線状ＬＥＤランプ７３０を示す概略的な斜視図である。
【０３７２】
図４９は、線状ＬＥＤランプ７３０における発光ユニットＬＵ−１２０を示す概略的な斜視図である。
【０３７３】
図５０は、発光ユニットＬＵ−１２０を構成する一つの発光セグメント１２０−ｎを示し、図５０Ａは概略的な拡大斜視図、図５０Ｂは電気回路図  である。
【０３７４】
図５１は、図４８のＬ−Ｌ’線に沿って切断した線状ＬＥＤランプ７３０の概略的な部分拡大断面図である。
【０３７５】
図４８ないし図５１に示すように、線状ＬＥＤランプ７３０は、内面に複数の蛍光ファイバ３５または３６を設けた直管状光透過性部材からなる光透過性中空チューブ部材２０Ｔと、光透過性中空チューブ部材２０Ｔの軸に沿って延長して配置され螺旋形からなり立体的に構成された回路基板１１Ｃに複数のＬＥＤ素子１０を実装した発光ユニットＬＵ−１２０からなる。
【０３７６】
図４８に示すように、線状ＬＥＤランプ７３０は、中空チューブ部材２０Ｔの両端にそれらの開口を塞ぐように導電接続ピンを外部に突出させたキャップ状の口金５１０が配置されている。
【０３７７】
この実施例では、発光ユニットＬＵ−１２０においては、回路基板１１Ｃの裏面に複数のＬＥＤ素子１０を実装している点が、例えば、図３５ないし図４１などに示した発光ユニットＬＵ−１００など前述の発光ユニットと全く異なる。
【０３７８】
図４９、図５０に示すように発光ユニットＬＵ−１２０は、複数の発光セグメント１２０−ｎ（ｎ＝１，２，−−−，ｎ）を横方向に連結して全体的に実質的に線状としたものである。
【０３７９】
図５０（図５０Ａ、図５０Ｂ）に示すように一つの発光セグメント１２０−ｎは、基板１１Ｃに給電用配線１１Ｄを有し、基板１１Ｃに４個など複数のＬＥＤ素子１０を実装している。そして基板１１Ｃを折部ＢＬに沿って図５０示のように折り曲げて螺旋状立体に構成する。
【０３８０】
図５０（図５０Ａ、図５０Ｂ）に示す発光セグメント１２０−ｎは、図３７に示した発光セグメント１００−ｎと異なり、発光セグメント１２０−ｎの基板１１Ｃの裏面に給電用配線１１Ｄを有し、裏面にＬＥＤ素子１０を実装していることに留意されたい。
【０３８１】
図５０、図５１に示すように、線状ＬＥＤランプ７３０は、発光ユニットＬＵ−１２０の基板１１Ｃの裏面にＬＥＤ素子１０を実装しているので、ＬＥＤ素子１０の光出射面と円筒形中空透光性チューブ２０Ｔの内面との間の離隔距離を大きくすることができ、それによりＬＥＤ素子１０から放射される狭い指向角度を有する一次光線を上記内面に至るまでに拡散させて上記内面に対する照射領域を拡大でき、上記内面に配置された大部分の蛍光ファイバ３５、３６および蛍光膜３７に照射できる利点を有する。
【０３８２】
発光ユニットＬＵ−１２０の複数のＬＥＤ素子１０は、螺旋状立体の異なる方向に位置する複数の表面に実装されているので、給電線１１Ｄに直流電源（点灯回路）４０に接続すると瞬時に点灯し、青色光線、紫色光線、近紫外線などの短波長一次光線Ｌ１は、異なる複数の方向を指向して放射され、したがって一次光線Ｌ１は円筒形中空チューブ２０Ｔの内面に配置された大部分の蛍光ファイバ３５、３６および蛍光膜３７を励起し、可視二次光線Ｌ２に変換できる。
【０３８３】
＜この発明の実施例ＮＯ．１２：線状ＬＥＤランプ７４０＞
【０３８４】
この発明の実施例ＮＯ．１２を、図５２ないし図５４に基づいて説明する。
【０３８５】
この実施例ＮＯ．１２において、前述の複数の実施例と同様な箇所の記述はできるだけ省略する。（同一箇所には同一な参照符号を付してある。）
【０３８６】
図５２は、長尺広角レンズ７０２を追加した実施例ＮＯ．１２の線状ＬＥＤランプ７４０を示す概略的な斜視図であり、また長尺広角レンズ７０２を拡大して示す概略的な斜視図である。
【０３８７】
図５３は、線状ＬＥＤランプ７４０を示す概略的な分解斜視図であり、また長尺拡大レンズ７０２を拡大して示す概略的な部分斜視図である。
【０３８８】
図５４は、図５２のＭ−Ｍ≡線に沿って切断した概略的な拡大断面図である。
【０３８９】
この実施例Ｎ０．１２は、前述の実施例Ｎ０．６（図３３参照）の線状ＬＥＤランプ６２０において、長尺広角レンズ７０２を追加して用いている点が異なり、その他の点は実施例Ｎ０．６と同一である。
【０３９０】
図５２ないし図５４に示すように、線状ＬＥＤランプ７４０は、内面に複数の蛍光ファイバ３５または３６を設けた直管円筒形など管状の光透過性（透光性）部材からなる中空な透光性チューブ２０Ｔと、四角形など多角形の長尺支柱５２０Ｄとその複数の長尺表面に配置された複数の短波長形ＬＥＤ素子１０を長尺な回路基板１１Ａのそれぞれの表面にＬＥＤ１０を実装した複数のＬＥＤアレイ（ＬＥＤ配列体）１０ＡからなるＬＥＤ発光ユニットＬＵ−６０からなる。
【０３９１】
透光性チューブ２０Ｔの両端の開口には給電用の口金５１０が設けられ、線状ＬＥＤランプ７４０の外形は、直管円筒形の蛍光ランプと類似している。
【０３９２】
この実施例Ｎ０．１２では、ＬＥＤ発光ユニットＬＵ−６０と対応してＬＥＤ１０から放射される短波長形一次光線Ｌ１の狭い指向角を拡大、拡張する長尺広角レンズ７０２を配置したものである。
【０３９３】
図５３に示すように、長尺広角レンズ７０２は、一対の対向面７０２ａ、７０２ｂからなるほぼＶ字形の断面形状の頂面と、半円形、ドーム状の形状の溝（凹部）を有する底面７０２ｅと、直線、曲線状の形状の一対の側面７０２ｃ、７０２ｄと、長尺直線状の底辺７０２ｆを有し、底面７０２ｅの両端がＬＥＤ発光ユニットＬＵ−６０の基板１１Ａに固定配置されている。
【０３９４】
ＬＥＤアレイ１０Ａの複数のＬＥＤ１０は、底面７０２ｅの溝と、ＬＥＤ１０と基板１１Ａの表面とが囲む空間に収容されている。
【０３９５】
長尺広角レンズ７０２は、光学ガラスまたはアクリル樹脂、ポリカーボネート樹脂、シリコーン樹脂、無定形フッ素樹脂などの透光性樹脂からなる。
【０３９６】
図５３に示すように、ＬＥＤアレイ１０ＡのＬＥＤ１０から狭い指向角を有する短波長一次光線Ｌ１が放射されるときに、短波長一次光線Ｌ１は長尺広角レンズ７０２により屈折し、ＬＥＤ１０の光出射頂面と対向する長尺広角レンズ７０２頂面７０２ａ、７０２ｂのみならず、その側面７０２ｃ、７０２ｄからも出射する。
【０３９７】
それにより、ＬＥＤ１０から放射される短波長一次光線Ｌ１は上方向、左右方向に角度を広げて、透光性チューブ２０Ｔの内面のほぼ全ての領域を照射し、したがって透光性チューブ２０Ｔの内面に設けられたほぼ全ての蛍光ファイバ３５、３６とその接着層である蛍光結合層３７を照射することができる。
【０３９８】
ほぼ全ての蛍光ファイバ３５、３６と蛍光結合層３７は、短波長一次光線Ｌ１を受光して可視二次光線Ｌ２に波長変換し、可視二次光線Ｌ２（または可視二次光線Ｌ２と一部の短波長一次光線Ｌ１）は、透光性チューブ２０Ｔを透過して外部に出射して照明光線となる。
【０３９９】
＜この発明の実施例ＮＯ．１３：線状ＬＥＤランプ７５０＞
【０４００】
この発明の実施例ＮＯ．１３は、前述の実施例ＮＯ．１２の変形である。
【０４０１】
実施例ＮＯ．１３を図５５、図５６に基づいて説明する。
【０４０２】
この実施例ＮＯ．１３において、前述の複数の実施例と同様な箇所の記述はできるだけ省略する。（同一箇所には同一な参照符号を付してある。）
【０４０３】
図５５（図５５Ａ、図５５Ｂ）は、部分反射性長尺リフレクタ７０３、７０４を示し、図５５Ａは部分反射性長尺リフレクタ７０３を示す概略的な斜視図、図５５Ｂは他の部分反射性長尺リフレクタ７０４を示す概略的な斜視図である。
【０４０４】
図５６は、線状ＬＥＤランプ７５０を示す概略的な拡大断面図である。
【０４０５】
図５５、図５６に示すように、線状ＬＥＤランプ７５０は、内面に複数の蛍光ファイバ３５または３６を設けた直管円筒形など管状の光透過性（透光性）部材からなる中空な透光性チューブ２０Ｔと、四角形など多角形の長尺支柱５２０Ｄとその複数の長尺表面に配置された複数の短波長形ＬＥＤ素子１０を長尺な回路基板１１Ａのそれぞれの表面にＬＥＤ１０を実装した複数のＬＥＤアレイ（ＬＥＤ配列体）１０ＡからなるＬＥＤ発光ユニットＬＵ−６０からなる。
【０４０６】
この発明の実施例ＮＯ．１３は、前述の実施例ＮＯ．１２の長尺広角レンズ７０２の替わりに、部分反射性長尺リフレクタ７０３、７０４を用いるものである。
【０４０７】
部分反射性長尺リフレクタ７０３、７０４は、ＬＥＤ発光ユニットＬＵ−６０と対応して配置され、ＬＥＤ１０から放射される短波長形一次光線Ｌ１の狭い指向角を拡大、拡張する。
【０４０８】
図５５Ａに示すように、部分反射性長尺リフレクタ７０３は、一対の対向する部分反射面からなるほぼＶ字形の断面形状のＶ字形部分反射面を有する長尺な部分反射リフレクタであり、長尺な基板１１Ａの長さに沿って基板１１Ａの上部に配置される。
【０４０９】
部分反射性長尺リフレクタ７０３は、少なくとも紫外線、青色光線を部分的に反射し、かつ部分的に透過するハーフミラーなどの部分反射リフレクタであり、その光透過率、反射率の比率、線状ＬＥＤランプ７５０の目的とする配光特性によって選択して決定される。
【０４１０】
例えば、部分反射性長尺リフレクタ７０３の反射率と光透過率の比率は９０：１０、５０：５０と任意に設定できる。
【０４１１】
部分反射性長尺リフレクタ７０３は、透光性板の表面にアルミニウム、銀、ニッケル、クロムなどの反射金属薄膜を形成したハーフミラーからなることができる。
【０４１２】
部分反射性長尺リフレクタ７０３は、上記ハーフミラーの替わりに、透光性板の表面に異なる屈折率の複数の光学膜を積層したダイクロイック・ミラーからなることができる。
【０４１３】
複数の支持棒７０３ａはその一端が基板１１Ａに固定され、その先端が部分反射性長尺リフレクタ７０３に固定されて、長尺な部分反射性長尺リフレクタ７０３と基板１１Ａとの間隔を一定に保持する。
【０４１４】
長尺なＬＥＤアレイ１０Ａの長さ方向に配列された複数のＬＥＤ１０の光出射光軸と、広角リフレクタ７０３の長尺なＶ字反射面の長尺な先端線が一致するように、広角リフレクタ７０３を基板１１Ａの上部に所定距離を離して支持する。
【０４１５】
図５５Ｂに示すように、部分反射性長尺リフレクタ７０４は、長尺に光透過性板７０４ａと、その長さ方向に点在する逆円錐形など逆錐形反射面（Ｖ字形の断面形状）を有する複数の逆錐形リフレクタ部７０４ｂからなり、長尺な基板１１Ａの長さに沿って基板１１Ａの上部に配置される。
【０４１６】
複数の支持棒７０３ａはその一端が基板１１Ａに固定され、その先端が部分反射性長尺リフレクタ７０４に固定されて、部分反射性長尺リフレクタ７０４と基板１１Ａとの間隔を一定に保持する。
【０４１７】
長尺なＬＥＤアレイ１０Ａの長さ方向に配列された複数のＬＥＤ１０のそれぞれの光出射光軸と、広角部分反射リフレクタ７０３の複数の逆錐形部分反射リフレクタ部７０４ｂのそれぞれの先端が一致するように、広角部分反射リフレクタ７０４を基板１１Ａの上部に所定距離を離して支持する。
【０４１８】
図５６に示すように、ＬＥＤアレイ１０ＡのＬＥＤ１０から狭い指向角を有する短波長一次光線Ｌ１が放射されるときに、短波長一次光線Ｌ１は部分反射性長尺リフレクタ７０３、７０４により部分的に反射かつ部分的に透過し、ＬＥＤ１０の光出射頂面と対向する部分反射性長尺リフレクタ７０３、７０４頂面７０２ａ、７０２ｂのみならず、その側面７０２ｃ、７０２ｄからも出射する。
【０４１９】
それにより、ＬＥＤ１０から放射される短波長一次光線Ｌ１は上方向、左右方向に角度を広げて、透光性チューブ２０Ｔの内面のほぼ全ての領域を照射し、したがって透光性チューブ２０Ｔの内面に設けられたほぼ全ての蛍光ファイバ３５、３６とその接着層でもある蛍光結合層３７を照射することができる。
【０４２０】
ほぼ全ての蛍光ファイバ３５、３６と蛍光結合層３７は、短波長一次光線Ｌ１を受光して可視二次光線Ｌ２に波長変換し、可視二次光線Ｌ２（または可視二次光線Ｌ２と一部の短波長一次光線Ｌ１）は、透光性チューブ２０Ｔを透過して外部に出射して照明光線となる。
【０４２１】
＜この発明の実施例ＮＯ．１４：線状ＬＥＤランプ７６０＞
【０４２２】
図５７は、この実施例ＮＯ．１４の線状ＬＥＤランプ７６０を示す概略的な断面図と、口金部分（キャップ）を示す概略的な斜視図である。
【０４２３】
この実施例ＮＯ．１４の線状ＬＥＤランプ７６０は、前述の実施例ＮＯ．１などの線状ＬＥＤランプ６００などの一変形であり、線状ＬＥＤランプ７６０と線状ＬＥＤランプ６００は、口金の部分のみが異なり、他の部分については両者は同一である。
【０４２４】
実施例ＮＯ．１４の線状ＬＥＤランプ７６０は、実施例ＮＯ．１などの線状ＬＥＤランプ６００などと同様に、内面に複数の蛍光ファイバ３５または３６を設けた直管円筒形など管状の光透過性（透光性）部材からなる光透過性（透光性）を有する中空チューブ部材２０Ｔと、多角形の長尺中空支柱５２０とその複数の長尺表面に配置された複数の短波長形ＬＥＤ素子１０を長尺な回路基板１１Ａのそれぞれの表面に実装した複数のＬＥＤアレイ１０ＡからなるＬＥＤ発光ユニットＬＵ−１０からなる。
【０４２５】
実施例ＮＯ．１などの線状ＬＥＤランプ６００などと同様に、実施例ＮＯ．１４においても、支柱５２０を透光性チューブ２０Ｔの内部空洞の軸に沿って保持し、透光性チューブ２０Ｔ内面に配置された蛍光ファイバとＬＥＤアレイ１０Ａとの距離を所定間隔に保持するために、複数の腕状部材などを有するスペーサー５３０、５３１が、少なくとも支柱５２０の両端近辺に固定されている。
【０４２６】
実施例ＮＯ．１などの線状ＬＥＤランプ６００などと同様に、実施例ＮＯ．１４においても、透光性チューブ２０Ｔの両端の円形などの開口を塞ぐキャップ部材が設けられており、その少なくとも一方のキャップ部材にはＬＥＤアレイ１０Ａに電力を供給するピン形給電端子が設けられている。
【０４２７】
図５７に示すように、実施例ＮＯ．１４の線状ＬＥＤランプ７６０の口金５１１は、キャップ状本体５１１ａと、ピン形給電端子５１１ｂと、ピン形給電端子５１１ｂを固定する絶縁板５１１ｃと、キャップ状本体５１１ａの外面と内面を連通する複数の通風用の貫通孔（通気孔）５１１ｄからなり、貫通孔（通気孔）５１１ｄは実施例ＮＯ．１には存在しない。
【０４２８】
図５７に示すように、点灯時に線状ＬＥＤアレイ１０ＡにおけるＬＥＤ１０のＬＥＤチップにて発生した熱は、ＬＥＤアレイ１０Ａの裏面から高い熱伝導性を有する中空支柱５２０に伝達して熱拡散される。
【０４２９】
更にこの熱は中空支柱５２０の両端を連通する長尺な内部空洞の空気に伝達され、暖められた空気流ＡＦＬとなり、空気流ＡＦＬの熱は中空支柱５２０の両端から両端近辺に位置する口金５１１の貫通孔（通気孔）５１１ｄを経由して外部へ放出される。
【０４３０】
それと同時に、外部の比較的に低い温度の空気は、望ましくは高い熱伝導性を有する口金５１１の貫通孔（通気孔）５１１ｄを経由して中空支柱５２０に流入し、ＬＥＤアレイ１０Ａの裏面を経由してＬＥＤ１０を許容範囲以内の比較的低温に戻し、この熱対流ＡＦＬのサイクルは繰り返され、長時間点灯によりＬＥＤ１０に輝度低下、劣化を生じさせる異常なＬＥＤ１０の温度上昇は避けられる。
【０４３１】
＜この発明の実施例ＮＯ．１５：線状ＬＥＤランプ７６１＞
【０４３２】
図５８は、この実施例ＮＯ．１５の線状ＬＥＤランプ７６１を示す概略的な断面図と、口金部分を示す概略的な斜視図である。
【０４３３】
この実施例ＮＯ．１５の線状ＬＥＤランプ７６１は、前述の実施例ＮＯ．１などの線状ＬＥＤランプ６００などの一変形であり、線状ＬＥＤランプ７６１と線状ＬＥＤランプ６００とは、口金に放熱フィンを設ける点のみが異なり、他の部分について両者は同一である。
【０４３４】
実施例ＮＯ．１５の線状ＬＥＤランプ７６１は、実施例ＮＯ．１などの線状ＬＥＤランプ６００などと同様に、内面に複数の蛍光ファイバ３５または３６を設けた直管円筒形など管状の光透過性（透光性）部材からなる光透過性（透光性）を有する中空チューブ部材２０Ｔと、多角形の長尺中空支柱５２０とその複数の長尺表面に配置された複数の短波長形ＬＥＤ素子１０を長尺な回路基板１１Ａのそれぞれの表面に実装した複数のＬＥＤアレイ１０ＡからなるＬＥＤ発光ユニットＬＵ−１０からなる。
【０４３５】
実施例ＮＯ．１などの線状ＬＥＤランプ６００などと同様に、実施例ＮＯ．１５においても、支柱５２０を透光性チューブ２０Ｔの内部空洞の軸に沿って保持し、透光性チューブ２０Ｔ内面に配置された蛍光ファイバとＬＥＤアレイ１０Ａとの距離を所定間隔に保持するために、複数の腕状部材などを有するスペーサー５３０、５３１が、少なくとも支柱５２０の両端近辺に固定されている。
【０４３６】
実施例ＮＯ．１などの線状ＬＥＤランプ６００などと同様に、実施例ＮＯ．１５においても、透光性チューブ２０Ｔの両端の円形などの開口を塞ぐキャップ部材が設けられており、その少なくとも一方のキャップ部材にはＬＥＤアレイ１０Ａに電力を供給するピン形給電端子が設けられている。
【０４３７】
図５８に示すように、実施例ＮＯ．１５の線状ＬＥＤランプ７６１の口金５１２は、高熱伝導性を有するキャップ状本体と、ピン形給電端子と、ピン形給電端子を固定する絶縁板と、高熱伝導性キャップ状本体の外周面に熱伝導性結合して設けられた複数の高熱伝導性フィン５１２Ａまたは５１２Ｂからなる。複数の通風用の貫通孔（通気孔）５１１ｄからなり、高熱伝導性フィン５１２Ａまたは５１２Ｂは実施例ＮＯ．１などには存在しない。
【０４３８】
図５８に示すように、点灯時に線状ＬＥＤアレイ１０ＡにおけるＬＥＤ１０のＬＥＤチップにて発生した熱は、ＬＥＤアレイ１０Ａの裏面から高い熱伝導性を有する中空支柱５２０に伝達して熱拡散される。
【０４３９】
更にこの熱は主として中空支柱５２０の両端を連通する長尺な内部空洞の空気に伝達され暖められた空気流ＡＦＬとなり、空気流ＡＦＬの熱は中空支柱５２０の両端から両端近辺に位置する口金５１１に伝達され、口金５１１の外周面に設けた高熱伝導性フィン５１２Ａまたは５１２Ｂを経由して外部へ放出される。
【０４４０】
＜この発明の実施例ＮＯ．１６：線状ＬＥＤランプ７６２＞
【０４４１】
図５９は、この実施例ＮＯ．１６の線状ＬＥＤランプ７６２を示す概略的な部分断面図である。
【０４４２】
前述の全ての実施例がＬＥＤランプの外部にＬＥＤ点灯回路４０を設置しているのに対して、この実施例ＮＯ．１６の線状ＬＥＤランプ７６２は、ＬＥＤランプにＬＥＤ点灯回路４０を内蔵している。
【０４４３】
図５９に示すように、実施例ＮＯ．１６の線状ＬＥＤランプ７６２は、実施例ＮＯ．１などの線状ＬＥＤランプ６００などと同様に、内面に複数の蛍光ファイバ３５または３６を設けた直管円筒形など管状の光透過性（透光性）部材からなる光透過性（透光性）を有する中空チューブ部材２０Ｔと、多角形の長尺中空支柱５２０とその複数の長尺表面に配置された複数の短波長形ＬＥＤ素子１０を長尺な回路基板１１Ａのそれぞれの表面に実装した複数のＬＥＤアレイ１０ＡからなるＬＥＤ発光ユニットＬＵ−１０からなる。
【０４４４】
実施例ＮＯ．１などの線状ＬＥＤランプ６００などと同様に、実施例ＮＯ．１６においても、支柱５２０を透光性チューブ２０Ｔの内部空洞の軸に沿って保持し、透光性チューブ２０Ｔ内面に配置された蛍光ファイバとＬＥＤアレイ１０Ａとの距離を所定間隔に保持するために、複数の腕状部材などを有するスペーサー５３０が、少なくとも支柱５２０の両端近辺に固定されている。
【０４４５】
実施例ＮＯ．１などの線状ＬＥＤランプ６００などと同様に、実施例ＮＯ．１６においても、透光性チューブ２０Ｔの両端の円形などの開口を塞ぐキャップ部材である口金５１０が設けられている。
【０４４６】
キャップ状の口金５１０は、内部空洞を有するキャップ状本体５１０ａと、ピン形給電端子５１０ｂと、ピン形給電端子５１ｂを固定する絶縁板５１０ｃからなり、内部空洞にＬＥＤ点灯回路４０を内蔵している。
【０４４７】
外部商用電源ＡＣから二本の鎖線で示す外部給電線と、二本のピン形給電端子５１ｂを経由して口金５１０の内部に収容されたＬＥＤ点灯回路４０に交流電力を供給するときに、ＬＥＤ点灯回路４０は交流電力を直流に変換し、この直流によりＬＥＤ発光ユニットの複数のＬＥＤ１０が短波長一次光線を放射する。
【０４４８】
この短波長一次光線Ｌ１は、透光性チューブ２０Ｔの内面に形成された蛍光性結合層に配置された複数の蛍光ファイバ３５、３６に受光され、蛍光ファイバ３５、３６から二次可視光線Ｌ２を放射し、二次可視光線Ｌ２は透光性チューブ２０Ｔを透過して外部に出射される。
【０４４９】
＜この発明の実施例ＮＯ．１７：環状ＬＥＤランプ７７０＞
【０４５０】
図６０は、この実施例ＮＯ．１７の環状ＬＥＤランプ７７０を示し、一部を断面として示す概略的な正面図である。
【０４５１】
図６１（図６１Ａ、図６１Ｂ）は、環状ＬＥＤランプ７７０の概略的な断面図であり、図６１Ａは、図６０の曲線Ｔ−Ｔ’に沿って切断した断面図、図６１Ｂは、図６０の直線Ｕ−Ｕ’に沿って切断した断面図である。
【０４５２】
前述の全ての実施例は、外観が直線状からなるＬＥＤランプであるの対して、この実施例ＮＯ．１７は、外観が曲線状からなる環状ＬＥＤランプである。
【０４５３】
図６０、図６１（図６１Ａ、図６１Ｂ）に示すように、実施例ＮＯ．１７の環状ＬＥＤランプ７７０は、内面に複数の蛍光ファイバ３５または３６を設けた透光性環状チューブ２０Ｔと、両面に給電回路を有する環状基板１１Ｃの両面に複数のＬＥＤ１０を実装したＬＥＤアレイ１１２Ａとを備えたＬＥＤ発光ユニットＬＵ−１１２からなる。
【０４５４】
図６０において、環状基板１１Ｃは、一対の給電用ピン端子５１２ｂを有する本体５１２ａからなる口金５１２の近辺で一部が欠如されている。即ち、環状基板１１Ｃは左側端末、右側端末を有し、口金５１２近辺の左側端末から環状チューブ２０Ｔの環状内部空洞をリング状に延在し口金５１２近辺に存在する右側端末まで延長された一部を欠如したほぼ環状の両面回路基板である。
【０４５５】
図６１Ａ、図６１Ｂに示すように、ＬＥＤアレイ１１２Ａを透光性環状チューブ２０Ｔの内部空洞の曲線軸に沿って保持し、環状チューブ２０Ｔの内面に配置された蛍光ファイバとＬＥＤアレイ１０Ａとの距離を所定間隔に保持される。（複数のスペーサー（図示せず）が、少なくとも環状基板１１Ｃの左右端末の近辺とその中間に固定されるのが望ましい。）
【０４５６】
透光性環状チューブ２０Ｔは、それぞれの内面に予め蛍光性結合層３７と蛍光ファイバ３５、３６を設けた一対の半円形（ドーム状）の透光性部材２２Ｔ−１、２２Ｔ−２を環状チューブになるように開口端面を対向させ、円形対向面２２Ｔ−３を接合することにより容易に製作することができる。
【０４５７】
図６１Ａ、図６１Ｂに示すように、ＬＥＤ１０から出射する狭い指向角を広げるために、ＬＥＤ１０の光出射面に図４１に詳細を示した逆円錐形などの広角レンズ７０１を設けるのが望ましい。
【０４５８】
図６１Ｂに示すように、広角レンズ７０１をＬＥＤ１０の光出射面に配置するか、予め広角ンズ７０１をＬＥＤ素子に備えたＬＥＤパッケージを用いることにより、ＬＥＤ１０から放射される短波長一次光線Ｌ１は、指向角を拡大され、透光性環状チューブ２０Ｔの内面に形成された蛍光性結合層３７に配置されたほとんどの蛍光ファイバ３５、３６に受光されて蛍光ファイバ３５、３６から二次可視光線Ｌ２を放射し、この二次可視光線Ｌ２は透光性環状チューブ２０Ｔを透過して外部に出射される。
【０４５９】
＜この発明の実施例ＮＯ．１８：線状ＬＥＤランプ７８０＞
【０４６０】
この発明の実施例ＮＯ．１８を、図６２ないし図６５に基づいて説明する。
【０４６１】
この実施例ＮＯ．１８において、前述の複数の実施例と同様な箇所の記述はできるだけ省略する。（同一箇所には同一な参照符号を付してある。）
【０４６２】
図６２は、実施例ＮＯ．１８の線状ＬＥＤランプ７８０を示す概略的な斜視図である。
【０４６３】
図６３は、線状ＬＥＤランプ７８０の一部を示す概略的な分解斜視図である。
【０４６４】
図６４は、線状ＬＥＤランプ７８０の一部を示す概略的な斜視図である。
【０４６５】
図６５は、図６２のＭ−Ｍ≡線に沿って切断した概略的な拡大断面図である。
【０４６６】
図６２ないし図６５に示すように、線状ＬＥＤランプ７８０は、内面に複数の蛍光突起３０、３０−１（または蛍光ファイバ３５、３６）を設けた直管状の透光性チューブの一部を長さ方向に沿って欠如したほぼ円筒形を有する透光性チューブ２０Ｔ−２と、ＬＥＤアレイ１０Ａ−２と、ＬＥＤアレイ１０Ａ−２を収容するヒートシンク付きハウジング５５０からなる。
【０４６７】
透光性チューブ２０Ｔ−２は、長さ方向にほぼ長方形の開口を有し、断面がほぼ≡Ｃ≡字形、≡Ｕ≡字形の形状を有する。
【０４６８】
透光性チューブ２０Ｔ−２は、光学ガラスまたはアクリル樹脂、ポリカーボネート樹脂、シリコーン樹脂などの透光性樹脂からなる。
【０４６９】
ヒートシンク付きハウジング５５０は、長さ方向に延びる長尺な高熱伝導性部材からなり、更に図６３に示すようにその高熱伝導性部材は、長尺な平坦面などの表面５３０ａを有する上部と、長さ方向に延長された複数の放熱フィン５３０ｂを有する下部と、外側面５３０ｃと上端面５３０ｄと内側面５３０ｅとからなり平坦面５３０ａの両側に長さ方向に延長され一対の壁部とを備えるのが望ましい。
【０４７０】
ハウジング５５０は、表面５３０ａの両側で上方に延びる所定の高さを有する一対の上記壁部を備え、上部に開口を有するほぼ皿形の長尺ハウジングを構成し、表面５３０ａにＬＥＤアレイ１０Ａ−２が固定され、上記皿形の上部空間内に収容されることができる。
【０４７１】
ハウジング５５０は、非透光性（遮光性、反射性）部材からなることができ、それによりＬＥＤ素子１０から放射される一部の短波長一次光線、上記蛍光突起３０、３０−１から放射される散乱光線である一部の可視二次光線が、ハウジング５５０部分から外部に漏洩しないようにすることができる。
【０４７２】
ハウジング５５０は、放熱フィン５３０ｂを含む全ての部分が、アルミニウムなどの高熱伝導性金属、窒化ホウ素（ＢＮ）、窒化アルミニウム（ＡｌＮ）、アルミナ（Ａｌ2Ｏ3）などの高熱伝導性セラミック、高熱伝導性カーボン、またはこれらの粒子、ファイバからなる高熱伝導性フィラーを熱可塑性または硬化性樹脂に充てんした高熱伝導性樹脂からなるのが望ましく、ハウジング全体を一体成型、一体加工することができる。
【０４７３】
ＬＥＤアレイ１０Ａ−２は、長尺回路基板１１Ａに複数のＬＥＤ１０を複数列に配列して実装したものであり、ハウジング５５０の平坦面５３０ａに熱伝導接触して配置、固定される。
【０４７４】
透光性チューブ２０Ｔ−２の長尺な開口端面と、ハウジング５５０の上端面５３０ｄを対面させ、接着剤などの結合材を用いて、または上記結合材を用いることなく溶着、溶接、ネジ固定などの任意の固定手段により、透光性チューブ２０Ｔ−２とＬＥＤアレイ１０Ａ−２を収容したハウジング５５０は統合され、図６２に示すような周知の線状蛍光ランプと外観が類似の、線状ＬＥＤランプ７８０が提供される。
【０４７５】
図６５に示すように、蛍光突起３０、３０−１は、透光性チューブ２０Ｔ−２の内面に形成され、その一つのタイプの蛍光突起３０は、透光性チューブ２０Ｔ−２の内面に設けた複数の透光性突起（凸部）の凸面に蛍光体粒子をガラス、樹脂からなる透光性材料に含む蛍光体含有層を形成したものであり、隣接する突起の間の凹面にも同様な蛍光体含有層を形成している。
【０４７６】
図６５に示すように、他の一つのタイプの蛍光突起３０−１は、透光性チューブ２０Ｔ−２の内面に、複数のガラス、樹脂からなる透光性突起（凸部）の内部に蛍光体粒子を透光性材料に含む蛍光体含有突起を設けたものであり、隣接する蛍光体含有突起の間の透光性チューブ２０Ｔ−２の内面にも蛍光体含有層を形成している。
【０４７７】
この実施例では、「蛍光面積・容積拡大要素」として、蛍光突起３０、３０−１を用いたが、蛍光突起３０、３０−１の替わりに、前述の複数の実施例と同様に蛍光ファイバ３５、３６を用いることができる。
【０４７８】
図６５に示すように、この実施例では、ヒートシンク付きハウジング５５０の平滑面に、基板１１Ａの表面に複数のＬＥＤ１０からなる複数列のＬＥＤアレイ１０Ａ−２が配置されて収容され、隣接する複数のＬＥＤ１０から放射される短波長一次光線Ｌ１の指向角ＤＡが互いに重なるように設定している。
【０４７９】
したがって複数のＬＥＤ１０から放射される短波長一次光線Ｌ１は、一部を切除した透光性チューブ２０Ｔ−２の内面に配置されたほぼ全ての蛍光突起３０、３０−１を励起でき、透光性チューブ２０Ｔ−２のほぼ全面から蛍光突起３０、３０−１から放射する二次可視光線Ｌ２を出射できる。
【０４８０】
青色一次光線Ｌ１を発する青色ＬＥＤ素子１０と、黄色蛍光体を含む黄色蛍光突起３０または３０−１の組み合わせを用いる場合には、青色一次光線Ｌ１の一部を吸収した黄色蛍光突起３０または３０−１からの黄色二次光線Ｌ２と、黄色蛍光突起３０または３０−１で吸収されない青色一次光線Ｌ１の一部を透光性チューブ２０Ｔ−２から外部に取り出して、疑似白色照明光線を得ることができる。
【０４８１】
紫外線、紫色光線からなる一次光線Ｌ１を発する紫外、紫色ＬＥＤ素子１０と、三原色（ＢＧＲ）蛍光体を含む三原色蛍光突起３０または３０−１の組み合わせを用いる場合には、ほとんど全ての三原色一次光線Ｌ１を吸収した三原色蛍光突起３０または３０−１からの三原色光線が混合した白色二次光線Ｌ２を透光性チューブ２０Ｔ−２から外部に取り出して、白色照明光線を得ることができる。
【０４８２】
以上に開示した各種の実施の形態における各種の構成要素、構成部分を任意に組み合わせても良い。
【０４８３】
以上に添付図面を参照して本発明の各種の実施の形態を説明したが、本発明はこれらの実施の形態に限定されず、本発明の精神と特許請求の範囲に基づいて各種の変形、設計変更、改良および均等物の構築が可能であることに留意されたい。
【符号の説明】
【０４８４】
１０：発光ダイオード、ＬＥＤ、ＬＥＤ素子、
１０Ａ，１０−Ａ，１０Ａ−２：ＬＥＤアレイ、
１１，１１Ｂ，１１Ｃ：基板、回路基板、
１１Ｄ：配線、
２０Ｔ，２０Ｔ−２：透光性（光透過性）チューブ、透光性チューブ、長尺透光性チューブ、
３０，３０−Ａ，３０−Ｂ，３０−１：蛍光突起（蛍光面積・容積拡大要素）、
３１：蛍光膜、
３４：蛍光体含有素子（蛍光面積・容積拡大要素）、
３５，３６：蛍光体膜、
３５，３６：蛍光ファイバ（蛍光面積・容積拡大要素）、
３７：蛍光性結合材層、蛍光性結合層、蛍光層、蛍光膜、
３７Ａ，３７Ｂ：蛍光織布（蛍光面積・容積拡大要素）、
３８Ａ，３８Ｂ：蛍光不織布（蛍光面積・容積拡大要素）、
４０：ＬＥＤ点灯回路、点灯回路、
９９：紫外遮蔽膜、光触媒膜、ダイクロイック・ミラー膜
１００−ｎ，１２０−ｎ：発光セグメント、
５１０，５１１，５１２：口金、キャップ、
５１０ｂ，５１１ｂ：受電端子、受電ピン、
５１１ｄ：通気孔、通気用貫通孔、
５１２Ａ，５１２Ｂ：放熱フィン、
５２０，５２０Ｂ，５２０Ｃ，５２０Ｄ，５２０Ｅ，５２０Ｇ：支柱、中空支柱、多角形支柱、
５２０Ａ：多角回路基板、
５３０，５３１，５３２，５３３：スペーサー、
５４０；交流電源、
５５０：ハウジング、ヒートシンク付きハウジング、
６００，６１０，６２０，６３０，７００，７１０，７２０，７３０，７４０，７５０，７６０，７６２，７７０，７８０：線状ＬＥＤランプ、
７０１，７０２：広角レンズ、
７０３，７０４：長尺リフレクタ（部分反射性長尺リフレクタ）
Ｌ１：一次光線、短波長光線、
Ｌ２：二次光線、可視光線、
ＬＵ−１０，ＬＵ−２０，ＬＵ−３０，ＬＵ−４０，ＬＵ−５０，ＬＵ−６０，ＬＵ−７０，ＬＵ−６０，ＬＵ−１００，ＬＵ−１１２，ＬＵ−１２０：発光ユニット、
ＡＦＬ：空気流、対流。
【図１】
2011108424.tif 000003
【図２】
2011108424.tif 000004
【図３】
2011108424.tif 000005
【図４】
2011108424.tif 000006
【図５】
2011108424.tif 000007
【図６】
2011108424.tif 000008
【図７】
2011108424.tif 000009
【図８】
2011108424.tif 000010
【図９】
2011108424.tif 000011
【図１０】
2011108424.tif 000012
【図１１】
2011108424.tif 000013
【図１２】
2011108424.tif 000014
【図１３】
2011108424.tif 000015
【図１４】
2011108424.tif 000016
【図１５】
2011108424.tif 000017
【図１６】
2011108424.tif 000018
【図１７】
2011108424.tif 000019
【図１８】
2011108424.tif 000020
【図１９】
2011108424.tif 000021
【図２０】
2011108424.tif 000022
【図２１】
2011108424.tif 000023
【図２２】
2011108424.tif 000024
【図２３】
2011108424.tif 000025
【図２４】
2011108424.tif 000026
【図２５】
2011108424.tif 000027
【図２６】
2011108424.tif 000028
【図２７】
2011108424.tif 000029
【図２８】
2011108424.tif 000030
【図２９】
2011108424.tif 000031
【図３０】
2011108424.tif 000032
【図３１】
2011108424.tif 000033
【図３２】
2011108424.tif 000034
【図３３】
2011108424.tif 000035
【図３４】
2011108424.tif 000036
【図３５】
2011108424.tif 000037
【図３６】
2011108424.tif 000038
【図３７】
2011108424.tif 000039
【図３８】
2011108424.tif 000040
【図３９】
2011108424.tif 000041
【図４０】
2011108424.tif 000042
【図４１】
2011108424.tif 000043
【図４２】
2011108424.tif 000044
【図４３】
2011108424.tif 000045
【図４４】
2011108424.tif 000046
【図４５】
2011108424.tif 000047
【図４６】
2011108424.tif 000048
【図４７】
2011108424.tif 000049
【図４８】
2011108424.tif 000050
【図４９】
2011108424.tif 000051
【図５０】
2011108424.tif 000052
【図５１】
2011108424.tif 000053
【図５２】
2011108424.tif 000054
【図５３】
2011108424.tif 000055
【図５４】
2011108424.tif 000056
【図５５】
2011108424.tif 000057
【図５６】
2011108424.tif 000058
【図５７】
2011108424.tif 000059
【図５８】
2011108424.tif 000060
【図５９】
2011108424.tif 000061
【図６０】
2011108424.tif 000062
【図６１】
2011108424.tif 000063
【図６２】
2011108424.tif 000064
【図６３】
2011108424.tif 000065
【図６４】
2011108424.tif 000066
【図６５】
2011108424.tif 000067